(57)【特許請求の範囲】
【請求項１】
ワイヤレス通信の方法であって、
少なくとも１つのアップリンク（ＵＬ）制御信号に対する第１のリソースパーティションスケジュールを生成することと、
少なくとも１つのＵＬデータ信号に対する第２のリソースパーティションスケジュールを生成することであって、前記第１および第２のリソースパーティションスケジュールは同じ送信フレーム構造に適用可能であることと、
前記第１のリソースパーティションスケジュールと前記第２のリソースパーティションスケジュールとをユーザ機器（ＵＥ）に送信することと、
前記ＵＥから、前記第１のリソースパーティションスケジュールおよび前記第２のリソースパーティションスケジュールに従う送信フレームを受信することとを備え、
ここにおいて、前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用する方法。
【請求項２】
前記第１のリソースパーティションスケジュールは、第１の周期に基づき、前記第２のリソースパーティションスケジュールは、前記第１の周期と異なる第２の周期に基づく請求項１に記載の方法。
【請求項３】
前記第１の周期および前記第２の周期は、互いの倍数である請求項２に記載の方法。
【請求項４】
前記第１および第２のリソースパーティションは、同じ周期を有する請求項１に記載の方法。
【請求項５】
システム情報ブロック（ＳＩＢ）メッセージで前記第１および第２のリソースパーティションのスケジュールをブロードキャストすることをさらに備える請求項１に記載の方法。
【請求項６】
前記第１および第２のリソースパーティションが適用可能である送信フレーム構造を３つの領域に分割することをさらに備え、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える請求項１に記載の方法。
【請求項７】
前記動的制御領域は、動的制御信号が送信されない場合にデータ送信に使用されうる請求項６に記載の方法。
【請求項８】
ワイヤレス通信のための方法であって、
サービングセルから制御リソースパーティションスケジュールを受信することと、
前記サービングセルからデータリソースパーティションスケジュールを受信することと、
前記制御リソースパーティションスケジュールに従う制御信号と前記制御リソースパーティションスケジュールに従うデータ信号とを含む信号を送信することとを備え、
ここにおいて、前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用する方法。
【請求項９】
前記制御リソースパーティションスケジュールは、第１の周期に基づき、前記データリソースパーティションスケジュールは、前記第１の周期と異なる第２の周期に基づく請求項８に記載の方法。
【請求項１０】
前記第１の周期および前記第２の周期は、互いの倍数である請求項９に記載の方法。
【請求項１１】
前記制御リソースパーティションスケジュールおよび前記データリソースパーティションスケジュールは、同じ周期を有する請求項８に記載の方法。
【請求項１２】
前記制御リソースパーティションスケジュールおよび前記データリソースパーティションスケジュールは、同じシステム情報ブロック（ＳＩＢ）メッセージで受信される請求項８に記載の方法。
【請求項１３】
前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える請求項８に記載の方法。
【請求項１４】
前記制御信号は、半持続的制御信号と動的制御信号のうちの１つまたは複数を備える請求項１３に記載の方法。
【請求項１５】
前記制御信号を前記送信することは、
前記半持続的制御領域において前記半持続的制御信号を送信することと、
前記動的制御信号が存在する場合に前記動的制御領域において前記動的制御信号を送信することとを備え、
前記データ信号を前記送信することは、
前記データ領域において前記データ信号を送信することを備える請求項１４に記載の方法。
【請求項１６】
前記動的制御信号が存在しない場合に、前記データ信号を前記送信することは、
前記動的制御領域において前記データ信号を送信することをさらに備える請求項１５に記載の方法。
【請求項１７】
ワイヤレス通信のために構成されている基地局であって、
少なくとも１つのアップリンク（ＵＬ）制御信号に対する第１のリソースパーティションスケジュールを生成するための手段と、
少なくとも１つのＵＬデータ信号に対する第２のリソースパーティションスケジュールを生成するための手段であって、前記第１および第２のリソースパーティションスケジュールは同じ送信フレーム構造に適用可能である、手段と、
前記第１のリソースパーティションスケジュールと前記第２のリソースパーティションスケジュールとをユーザ機器（ＵＥ）に送信するための手段と、
前記ＵＥから、前記第１のリソースパーティションスケジュールおよび前記第２のリソースパーティションスケジュールに従う送信フレームを受信するための手段とを備え、
ここにおいて、前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用する基地局。
【請求項１８】
前記第１のリソースパーティションスケジュールは、第１の周期に基づき、前記第２のリソースパーティションスケジュールは、前記第１の周期と異なる第２の周期に基づく請求項１７に記載の基地局。
【請求項１９】
前記第１の周期および前記第２の周期は、互いの倍数である請求項１８に記載の基地局。
【請求項２０】
前記第１および第２のリソースパーティションは、同じ周期を有する請求項１７に記載の基地局。
【請求項２１】
システム情報ブロック（ＳＩＢ）メッセージで前記第１および第２のリソースパーティションのスケジュールをブロードキャストするための手段をさらに備える請求項１７に記載の基地局。
【請求項２２】
前記第１および第２のリソースパーティションが適用可能である送信フレーム構造を３つの領域に分割するための手段をさらに備え、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える請求項１７に記載の基地局。
【請求項２３】
前記動的制御領域は、動的制御信号が送信されない場合にデータ送信に使用されうる請求項２２に記載の基地局。
【請求項２４】
ワイヤレス通信のために構成されているユーザ機器（ＵＥ）であって、
サービングセルから制御リソースパーティションスケジュールを受信するための手段と、
前記サービングセルからデータリソースパーティションスケジュールを受信するための手段と、
前記制御リソースパーティションスケジュールに従う制御信号と前記制御リソースパーティションスケジュールに従うデータ信号とを含む信号を送信するための手段とを備え、
ここにおいて、前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用するユーザ機器（ＵＥ）。
【請求項２５】
前記制御リソースパーティションスケジュールは、第１の周期に基づき、前記データリソースパーティションスケジュールは、前記第１の周期と異なる第２の周期に基づく請求項２４に記載のＵＥ。
【請求項２６】
前記第１の周期および前記第２の周期は、互いの倍数である請求項２５に記載のＵＥ。
【請求項２７】
前記制御リソースパーティションスケジュールおよび前記データリソースパーティションスケジュールは、同じ周期を有する請求項２４に記載のＵＥ。
【請求項２８】
前記制御リソースパーティションスケジュールおよび前記データリソースパーティションスケジュールは、同じシステム情報ブロック（ＳＩＢ）メッセージで受信される請求項２４に記載のＵＥ。
【請求項２９】
前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える請求項２４に記載のＵＥ。
【請求項３０】
前記制御信号は、半持続的制御信号と動的制御信号のうちの１つまたは複数を備える請求項２９に記載のＵＥ。
【請求項３１】
前記制御信号を送信するための前記手段は、
前記半持続的制御領域において前記半持続的制御信号を送信するための手段と、
前記動的制御信号が存在する場合に前記動的制御領域において前記動的制御信号を送信するための手段とを備え、
前記データ信号を送信するための前記手段は、
前記データ領域において前記データ信号を送信するための手段を備える請求項３０に記載のＵＥ。
【請求項３２】
前記動的制御信号が存在しない場合に、前記データ信号を送信するための前記手段は、
前記動的制御領域において前記データ信号を送信するための手段をさらに備える請求項３１に記載のＵＥ。
【請求項３３】
ワイヤレスネットワークにおけるワイヤレス通信のためのコンピュータプログラムであって、
少なくとも１つのアップリンク（ＵＬ）制御信号に対する第１のリソースパーティションスケジュールを生成するためのプログラムコードと、
少なくとも１つのＵＬデータ信号に対する第２のリソースパーティションスケジュールを生成するためのプログラムコードであって、前記第１および第２のリソースパーティションスケジュールは同じ送信フレーム構造に適用可能である、プログラムコードと、
前記第１のリソースパーティションスケジュールと前記第２のリソースパーティションスケジュールとをユーザ機器（ＵＥ）に送信するためのプログラムコードと、
前記ＵＥから、前記第１のリソースパーティションスケジュールおよび前記第２のリソースパーティションスケジュールに従う送信フレームを受信するためのプログラムコードとを備え、
ここにおいて、前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用するコンピュータプログラム。
【請求項３４】
前記第１のリソースパーティションスケジュールは、第１の周期に基づき、前記第２のリソースパーティションスケジュールは、前記第１の周期と異なる第２の周期に基づく請求項３３に記載のコンピュータプログラム。
【請求項３５】
システム情報ブロック（ＳＩＢ）メッセージで前記第１および第２のリソースパーティションのスケジュールをブロードキャストするためのプログラムコードをさらに備える請求項３３に記載のコンピュータプログラム。
【請求項３６】
前記第１および第２のリソースパーティションが適用可能である送信フレーム構造を３つの領域に分割するためのプログラムコードをさらに備え、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える請求項３３に記載のコンピュータプログラム。
【請求項３７】
ワイヤレスネットワークにおけるワイヤレス通信のためのコンピュータプログラムであって、
サービングセルから制御リソースパーティションスケジュールを受信するためのプログラムコードと、
前記サービングセルからデータリソースパーティションスケジュールを受信するためのプログラムコードと、
前記制御リソースパーティションスケジュールに従う制御信号と前記制御リソースパーティションスケジュールに従うデータ信号とを含む信号を送信するためのプログラムコードとを備え、
ここにおいて、前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用するコンピュータプログラム。
【請求項３８】
前記制御リソースパーティションスケジュールは、第１の周期に基づき、前記データリソースパーティションスケジュールは、前記第１の周期と異なる第２の周期に基づく請求項３７に記載のコンピュータプログラム。
【請求項３９】
前記制御リソースパーティションスケジュールおよび前記データリソースパーティションスケジュールは、同じシステム情報ブロック（ＳＩＢ）メッセージで受信される請求項３７に記載のコンピュータプログラム。
【請求項４０】
前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える請求項３７に記載のコンピュータプログラム。
【請求項４１】
前記制御信号は、半持続的制御信号と動的制御信号のうちの１つまたは複数を備える請求項４０に記載のコンピュータプログラム。
【請求項４２】
前記制御信号を送信するための前記プログラムコードは、
前記半持続的制御領域において前記半持続的制御信号を送信するためのプログラムコードと、
前記動的制御信号が存在する場合に前記動的制御領域において前記動的制御信号を送信するためのプログラムコードとを備え、
前記データ信号を送信するための前記プログラムコードは、
前記データ領域において前記データ信号を送信するためのプログラムコードを備える請求項４１に記載のコンピュータプログラム。
【請求項４３】
ワイヤレス通信のために構成されている基地局であって、
少なくとも１つのプロセッサと、
前記少なくとも１つのプロセッサに結合されたメモリとを備え、
前記少なくとも１つのプロセッサは、
少なくとも１つのアップリンク（ＵＬ）制御信号に対する第１のリソースパーティションスケジュールを生成し、
少なくとも１つのＵＬデータ信号に対する第２のリソースパーティションスケジュールを生成し、前記第１および第２のリソースパーティションスケジュールは同じ送信フレーム構造に適用可能であり、
前記第１のリソースパーティションスケジュールと前記第２のリソースパーティションスケジュールとをユーザ機器（ＵＥ）に送信し、
前記ＵＥから、前記第１のリソースパーティションスケジュールおよび前記第２のリソースパーティションスケジュールに従う送信フレームを受信するように構成され、
ここにおいて、前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用する基地局。
【請求項４４】
前記第１のリソースパーティションスケジュールは、第１の周期に基づき、前記第２のリソースパーティションスケジュールは、前記第１の周期と異なる第２の周期に基づく請求項４３に記載の基地局。
【請求項４５】
前記少なくとも１つのプロセッサは、
システム情報ブロック（ＳＩＢ）メッセージで前記第１および第２のリソースパーティションのスケジュールをブロードキャストするようにさらに構成される請求項４３に記載の基地局。
【請求項４６】
前記少なくとも１つのプロセッサは、
前記第１および第２のリソースパーティションが適用可能である送信フレーム構造を３つの領域に分割するようにさらに構成され、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える請求項４３に記載の基地局。
【請求項４７】
ワイヤレス通信のために構成されているユーザ機器（ＵＥ）であって、
少なくとも１つのプロセッサと、
前記少なくとも１つのプロセッサに結合されたメモリとを備え、
前記少なくとも１つのプロセッサは、
サービングセルから制御リソースパーティションスケジュールを受信し、
前記サービングセルからデータリソースパーティションスケジュールを受信し、
前記制御リソースパーティションスケジュールに従う制御信号と前記制御リソースパーティションスケジュールに従うデータ信号とを含む信号を送信するように構成され、
ここにおいて、前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用するユーザ機器（ＵＥ）。
【請求項４８】
前記制御リソースパーティションスケジュールは、第１の周期に基づき、前記データリソースパーティションスケジュールは、前記第１の周期と異なる第２の周期に基づく請求項４７に記載のＵＥ。
【請求項４９】
前記制御リソースパーティションスケジュールおよび前記データリソースパーティションスケジュールは、同じシステム情報ブロック（ＳＩＢ）メッセージで受信される請求項４７に記載のＵＥ。
【請求項５０】
前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える請求項４７に記載のＵＥ。
【請求項５１】
前記制御信号は、半持続的制御信号と動的制御信号のうちの１つまたは複数を備える請求項４７に記載のＵＥ。
【請求項５２】
前記制御信号を送信するように構成されている前記少なくとも１つのプロセッサは、
前記半持続的制御領域において前記半持続的制御信号を送信し、
前記動的制御信号が存在する場合に前記動的制御領域において前記動的制御信号を送信するように構成され、
前記データ信号を送信するように構成されている前記少なくとも１つのプロセッサは、
前記データ領域において前記データ信号を送信するように構成される請求項４７に記載のＵＥ。
【発明の詳細な説明】
【技術分野】
【０００１】
関連出願の相互参照
本出願は、２０１０年４月８日に出願した米国仮特許出願第６１／３２２，２２８号、名称「ＡＰＰＡＲＡＴＵＳ  ＡＮＤ  ＭＥＴＨＯＤ  ＦＯＲ  ＳＥＰＡＲＡＴＥ  ＲＥＳＯＵＲＣＥ  ＰＡＲＴＩＯＮＩＮＧ  ＭＡＮＡＧＥＭＥＮＴ  ＦＯＲ  ＵＰＬＩＮＫ  ＣＯＮＴＲＯＬ  ＡＮＤ  ＵＰＬＩＮＫ  ＤＡＴＡ  ＳＩＧＮＡＬＳ」の利益を主張するものであり、その全体が、参照により本明細書に明示的に組み込まれている。
【０００２】
本開示の態様は、一般的に、ワイヤレス通信システムに関するものであり、より具体的には、アップリンク制御およびアップリンクデータ信号に対する個別のリソースパーティショニング管理（separate resource partitioning management）に関するものである。
【背景技術】
【０００３】
ワイヤレス通信ネットワークは、音声、ビデオ、パケットデータ、メッセージング、ブロードキャスト、および同様のものなどのさまざまな通信サービスを提供するため広く展開されている。これらのワイヤレスネットワークは、利用可能なネットワークリソースを共有することにより複数のユーザをサポートすることができる多元接続ネットワークとすることができる。通常は多元接続ネットワークであるこのようなネットワークは、利用可能なネットワークリソースを共有することにより複数のユーザに対する通信をサポートする。このようなネットワークの一例として、ユニバーサル地上無線アクセスネットワーク（ＵＴＲＡＮ）がある。ＵＴＲＡＮは、第３世代パートナーシッププロジェクト（３ＧＰＰ）によって支援されている第３世代（３Ｇ）携帯電話技術である、ユニバーサルモバイル通信システム（ＵＭＴＳ）の一部として定義されている無線アクセスネットワーク（ＲＡＮ）である。多元接続ネットワークフォーマットの例として、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークが挙げられる。
【０００４】
ワイヤレス通信ネットワークは、多数のユーザ機器（ＵＥ）の通信をサポートすることができる多数の基地局またはＮｏｄｅ  Ｂを備えることができる。ＵＥは、ダウンリンクとアップリンクとを介して基地局と通信することができる。ダウンリンク（または順方向リンク）は、基地局からＵＥへの通信リンクを指し、アップリンク（または逆方向リンク）は、ＵＥから基地局への通信リンクを指す。
【０００５】
基地局は、ダウンリンク上でデータと制御情報とをＵＥに送信することができ、および／またはアップリンク上でデータと制御情報とをＵＥから受信することができる。ダウンリンク上では、基地局からの送信は、隣接する基地局からの、または他のワイヤレス無線周波数（ＲＦ）送信機からの送信による干渉に遭遇することがある。アップリンク上では、ＵＥからの送信は、隣接する基地局と通信している他のＵＥのアップリンク送信からの、または他のワイヤレスＲＦ送信機からの干渉に遭遇することがある。この干渉は、ダウンリンクとアップリンクの両方における性能を低下させる可能性がある。
【０００６】
モバイルブロードバンドアクセスに対する需要は増える一方なので、より多くのＵＥが長距離ワイヤレス通信ネットワークにアクセスし、より多くの短距離ワイヤレスシステムがコミュニティ内に展開されると、干渉が生じ、ネットワークが輻輳する可能性が高まる。モバイルブロードバンドアクセスに対する増大する需要に応じるためだけでなく、モバイル通信に対するユーザエクスペリエンスを推進し、高めるためにも、ＵＭＴＳ技術の進歩を目指して研究開発が続けられている。
【発明の概要】
【０００７】
本開示のさまざまな態様は、制御およびデータ送信に対する個別のリソースパーティショニング管理を行う送信管理に関係する。基地局は、送信ストリームに対する２つの個別のリソースパーティションスケジュールを生成し、第１のスケジュールをデータ送信に使用し、第２のスケジュールを制御信号送信に使用する。２つの個別のスキームは、データもしくは制御のいずれかの送信に役立つ、またはデータと制御の両方の調整を可能にする、異なる周期もしくは異なるサブフレームタイプ割り当てを有することができる。基地局は、通常のシステム情報メッセージで異なるスケジュールをブロードキャストすることができる。これらの基地局によるサービスを受けるＵＥは、そのデータ信号送信と制御信号送信とを適切なリソースパーティションスケジュールに従って構成する。
【０００８】
本開示の一態様において、ワイヤレス通信の方法は、少なくとも１つのＵＬ制御信号に対する第１のリソースパーティションスケジュールを生成することと、少なくとも１つのＵＬデータ信号に対する第２のリソースパーティションスケジュールを生成することであって、第１および第２のリソースパーティションは同じ送信フレーム構造に適用可能であることと、第１のリソースパーティションスケジュールと第２のリソースパーティションスケジュールとをＵＥに送信することと、ＵＥから、第１のリソースパーティションおよび第２のリソースパーティションに従う送信フレームを受信することとを含む。
【０００９】
本開示の一態様において、ワイヤレス通信の方法は、サービングセルから制御リソースパーティションスケジュールを受信することと、サービングセルからデータリソースパーティションスケジュールを受信することと、制御リソースパーティションスケジュールに従う制御信号と制御リソースパーティションスケジュールに従うデータ信号とを含む信号を送信することとを含むワイヤレス通信のための方法を生成することを含む。
【００１０】
本開示の追加の一態様において、ワイヤレス通信のために構成されている基地局は、少なくとも１つのＵＬ制御信号に対する第１のリソースパーティションスケジュールを生成するための手段と、少なくとも１つのＵＬデータ信号に対する第２のリソースパーティションスケジュールを生成するための手段であって、第１および第２のリソースパーティションは同じ送信フレーム構造に適用可能である、手段と、第１のリソースパーティションスケジュールと第２のリソースパーティションスケジュールとをＵＥに送信するための手段と、ＵＥから、第１のリソースパーティションおよび第２のリソースパーティションに従う送信フレームを受信するための手段とを備える。
【００１１】
本開示の追加の一態様において、ワイヤレス通信のために構成されているＵＥは、サービングセルから制御リソースパーティションスケジュールを受信するための手段と、サービングセルからデータリソースパーティションスケジュールを受信するための手段と、制御リソースパーティションスケジュールに従う制御信号と制御リソースパーティションスケジュールに従うデータ信号とを含む信号を送信するための手段とを備える。
【００１２】
本開示の追加の一態様において、コンピュータプログラム製品は、プログラムコードが記録されているコンピュータ可読媒体を有する。このプログラムコードは、少なくとも１つのＵＬ制御信号に対する第１のリソースパーティションスケジュールを生成するためのコードと、少なくとも１つのＵＬデータ信号に対する第２のリソースパーティションスケジュールを生成するためのコードであって、第１および第２のリソースパーティションは同じ送信フレーム構造に適用可能である、コードと、第１のリソースパーティションスケジュールと第２のリソースパーティションスケジュールとをＵＥに送信するためのコードと、ＵＥから、第１のリソースパーティションおよび第２のリソースパーティションに従う送信フレームを受信するためのコードとを含む。
【００１３】
本開示の追加の一態様において、コンピュータプログラム製品は、プログラムコードが記録されているコンピュータ可読媒体を有する。このプログラムコードは、サービングセルから制御リソースパーティションスケジュールを受信するためのコードと、サービングセルからデータリソースパーティションスケジュールを受信するためのコードと、制御リソースパーティションスケジュールに従う制御信号と制御リソースパーティションスケジュールに従うデータ信号とを含む信号を送信するためのコードとを含む。
【００１４】
本開示の追加の一態様において、基地局は、少なくとも１つのプロセッサとプロセッサに結合されたメモリとを備える。このプロセッサは、少なくとも１つのＵＬ制御信号に対する第１のリソースパーティションスケジュールを生成し、少なくとも１つのＵＬデータ信号に対する第２のリソースパーティションスケジュールを生成し、第１および第２のリソースパーティションは同じ送信フレーム構造に適用可能であり、第１のリソースパーティションスケジュールと第２のリソースパーティションスケジュールとをＵＥに送信し、ＵＥから、第１のリソースパーティションおよび第２のリソースパーティションに従う送信フレームを受信するように構成される。
【００１５】
本開示の追加の一態様において、ＵＥは、少なくとも１つのプロセッサとプロセッサに結合されたメモリとを備える。このプロセッサは、サービングセルから制御リソースパーティションスケジュールを受信し、サービングセルからデータリソースパーティションスケジュールを受信し、制御リソースパーティションスケジュールに従う制御信号と制御リソースパーティションスケジュールに従うデータ信号とを含む信号を送信するように構成される。
【図面の簡単な説明】
【００１６】
【図１】モバイル通信システムの一例を概念的に示すブロック図。
【図２】モバイル通信システムにおけるダウンリンクフレーム構造の一例を概念的に示すブロック図。
【図３】アップリンクＬＴＥ／−Ａ通信における例示的なフレーム構造を概念的に示すブロック図。
【図４】本開示の一態様による異種ネットワークにおける時分割多重（ＴＤＭ）パーティショニングを概念的に示すブロック図。
【図５】本開示の一態様により構成された基地局／ｅＮＢおよびＵＥの設計を概念的に示すブロック図。
【図６】ＵＬ制御とＵＬデータとに対する個別のリソースパーティショニング管理の一例を示す図。
【図７Ａ】本開示の一態様による送信ストリームに適用される二重リソースパーティショニングスケジュールを有する送信ストリームを示すブロック図。
【図７Ｂ】本開示の別の態様による二重リソースパーティショニングスケジュールを有する送信ストリームを示すブロック図。
【図７Ｃ】本開示の別の態様による二重リソースパーティショニングスケジュールを有する送信ストリームを示すブロック図。
【図８】本開示の一態様を実装するために実行される例示的なブロックを示す機能ブロック図。
【図９】本開示の一態様を実装するために実行される例示的なブロックを示す機能ブロック図。
【図１０】本開示の一態様を実装するために実行される例示的なブロックを示す機能ブロック図。
【図１１】本開示の一態様を実装するために実行される例示的なブロックを示す機能ブロック図。
【発明を実施するための形態】
【００１７】
添付図面に関連して以下で述べる詳細な説明は、さまざまな構成の一説明として意図されており、本明細書で説明されている概念を実施することができる構成のみを表すものとしては意図されていない。詳細な説明は、さまざまな概念の十分な理解が得られるようにすることを目的とする具体的詳細を含む。しかし、当業者には、これらの概念がこれらの具体的詳細がなくても実施されうることは明白であろう。いくつかの場合において、このような概念が曖昧になることを避けるために、よく知られている構造およびコンポーネントはブロック図形式で示されている。
【００１８】
本明細書で説明されている技術は、ＣＤＭＡ、ＴＤＭＡ、ＦＤＭＡ、ＯＦＤＭＡ、ＳＣ−ＦＤＭＡ、および他のネットワークなどのさまざまなワイヤレス通信ネットワークに使用されうる。「ネットワーク」および「システム」という用語は、互いに取り替えて使用されることが多い。ＣＤＭＡネットワークは、ユニバーサル地上無線アクセス（ＵＴＲＡ）、米国電気通信工業会（ＴＩＡ）のＣＤＭＡ２０００（登録商標）、および同様の技術などの無線技術を実装することができる。ＵＴＲＡ技術には、Ｗｉｄｅｂａｎｄ  ＣＤＭＡ（ＷＣＤＭＡ）およびＣＤＭＡの他の変更形態がある。ＣＤＭＡ２０００（登録商標）技術には、米国電子工業会（ＥＩＡ）およびＴＩＡのＩＳ−２０００、ＩＳ−９５、およびＩＳ−８５６標準がある。ＴＤＭＡネットワークでは、グローバルモバイル通信システム（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭＡ、および同様の技術などの無線技術を実装することができる。ＵＴＲＡおよびＥ−ＵＴＲＡ技術は、ユニバーサルモバイル通信システム（ＵＭＴＳ）の一部である。３ＧＰＰロングタームエボリューション（ＬＴＥ）とＬＴＥ−Ａｄｖａｎｃｅｄ（ＬＴＥ−Ａ）は、Ｅ−ＵＴＲＡを使用するＵＭＴＳのより新しいリリースである。ＵＴＲＡとＥ−ＵＴＲＡとＵＭＴＳとＬＴＥとＬＴＥ−ＡとＧＳＭは、「第３世代パートナーシッププロジェクト」（３ＧＰＰ）と称される組織からの文書に記載されている。ＣＤＭＡ２０００（登録商標）およびＵＭＢは、「第３世代パートナーシッププロジェクト２」（３ＧＰＰ２）と称される組織からの文書に記載されている。本明細書で説明されている技術は、上述のワイヤレスネットワークおよび無線アクセス技術、さらには他のワイヤレスネットワークおよび無線アクセス技術に使用されうる。わかりやすくするために、これらの技術のうちのいくつかの態様は、ＬＴＥまたはＬＴＥ−Ａ（「ＬＴＥ／−Ａ」と一緒にして別称される）について以下で説明されており、そのようなＬＴＥ／−Ａという用語を以下の説明の大半において使用する。
【００１９】
図１は、ＬＴＥ−Ａネットワークであってもよい、通信のためのワイヤレスネットワーク１００を示している。ワイヤレスネットワーク１００は、多数のｅｖｏｌｖｅｄ  ｎｏｄｅ  Ｂ（ｅＮＢ）１１０と他のネットワークエンティティとを備える。ｅＮＢは、ＵＥと通信する局であり、基地局、Ｎｏｄｅ  Ｂ、アクセスポイント、および同様の名称で称されうる。それぞれのｅＮＢ  １１０は、特定の地理的領域に対し通信カバレッジを定めることができる。３ＧＰＰでは、「セル」という用語は、用語が使用される状況に応じて、カバレッジエリアにサービスを提供するｅＮＢおよび／またはｅＮＢサブシステムのこの特定の地理的カバレッジエリアを指すものとすることができる。
【００２０】
ｅＮＢは、マクロセル、ピコセル、フェムトセル、および／または他の種類のセルに対する通信カバレッジを提供することができる。マクロセルは、一般的に、比較的大きな地理的領域（例えば、半径数キロメートルの範囲の）をカバーし、ネットワークプロバイダのサービスに加入しているＵＥによる無制限アクセスを許可することができる。ピコセルは、一般的に、比較的より小さな地理的領域をカバーし、ネットワークプロバイダのサービスに加入しているＵＥによる無制限アクセスを許可することができる。フェムトセルも、一般的に、比較的小さな地理的領域（例えば、家庭）をカバーし、無制限アクセスに加えて、フェムトセルとの関連性を有するＵＥ（例えば、限定加入者グループ（ＣＳＧ）内のＵＥ、家庭のユーザ用のＵＥ、および同様のもの）による制限付きアクセスも提供することができる。マクロセルに対するｅＮＢは、マクロｅＮＢと称することができる。ピコセルに対するｅＮＢは、ピコｅＮＢと称することができる。また、フェムトセルに対するｅＮＢは、フェムトｅＮＢまたはホームｅＮＢと称することができる。図１に示されている例では、ｅＮＢ  １１０ａ、１１０ｂ、および１１０ｃは、それぞれ、マクロセル１０２ａ、１０２ｂ、および１０２ｃに対するマクロｅＮＢである。ｅＮＢ  １１０ｘは、ピコセル１０２ｘに対するピコｅＮＢである。また、ｅＮＢ  １１０ｙおよび１１０ｚは、それぞれ、フェムトセル１０２ｙおよび１０２ｚに対するフェムトｅＮＢである。ｅＮＢは、１つまたは複数の（例えば、２つ、３つ、４つ、などの数の）セルをサポートすることができる。
【００２１】
ワイヤレスネットワーク１００は、同期オペレーションまたは非同期オペレーションをサポートすることができる。同期オペレーションでは、ｅＮＢは、類似のフレームタイミングを有することができ、異なるｅＮＢからの送信は、おおよその時間合わせがなされうる。非同期オペレーションでは、ｅＮＢは、異なるフレームタイミングを有することができ、異なるｅＮＢからの送信は、時間合わせがなされていないであろう。
【００２２】
ネットワークコントローラ１３０は、一組のｅＮＢに結合し、それらのｅＮＢの協調制御を行うことができる。ネットワークコントローラ１３０は、バックホール１３２を介してｅＮＢ  １１０と通信することができる。ｅＮＢ  １１０は、互いに、例えば、ワイヤレスバックホール１３４もしくは有線バックホール１３６を介して間接的にまたは直接的に通信することもできる。
【００２３】
ＵＥ  １２０は、ワイヤレスネットワーク１００全体に分散され、それぞれのＵＥは、固定式であってもよいし、移動式であってもよい。ＵＥは、端末、移動局、加入者ユニット、局、または同様の名称で称することもできる。ＵＥは、携帯電話、携帯情報端末（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、または同様のものであってもよい。ＵＥは、マクロｅＮＢ、ピコｅＮＢ、フェムトｅＮＢ、および同様のものと通信可能であるものとしてよい。図１では、二重矢印の実線は、ＵＥと、ダウンリンクおよび／またはアップリンク上でＵＥにサービスを提供するように指定されているｅＮＢであるサービングｅＮＢとの間の所望の送信を示す。二重矢印の破線は、ＵＥとｅＮＢとの間の干渉している送信を示している。
【００２４】
ＬＴＥ／−Ａは、ダウンリンク上で直交周波数分割多重（ＯＦＤＭ）を使用し、アップリンク上で単一搬送波周波数分割多重（ＳＣ−ＦＤＭ）を使用する。ＯＦＤＭおよびＳＣ−ＦＤＭは、システム帯域幅を、トーン、ビン、および同様の名称でも一般的に称される、複数の（Ｋ個の）直交サブキャリアに分割する。それぞれのサブキャリアは、データとともに変調されうる。一般に、変調シンボルは、ＯＦＤＭでは周波数領域で、ＳＣ−ＦＤＭでは時間領域で送信される。隣接するサブキャリア間の間隔は、固定され、またサブキャリアの総数（Ｋ）は、システム帯域幅に依存しうる。例えば、Ｋは、１．２５、２．５、５、１０、または２０メガヘルツ（ＭＨｚ）の対応するシステム帯域幅に対しそれぞれ１２８、２５６、５１２、１０２４、または２０４８に等しいものとしてよい。システム帯域幅は、さらに複数のサブバンドに分割されうる。例えば、サブバンドは１．０８ＭＨｚをカバーすることができ、１．２５、２．５、５、１０、または２０ＭＨｚの対応するシステム帯域幅に対しそれぞれ１、２、４、８、または１６個のサブバンドがありうる。
【００２５】
図２は、ＬＴＥ／−Ａで使用されるダウンリンクフレーム構造を示している。ダウンリンクに対する伝送時系列は、無線フレームの複数ユニットに分割されうる。それぞれの無線フレームは、所定の持続時間（例えば、１０ミリ秒（ｍｓ））を有することができ、０から９までのインデックスを付けられた１０個のサブフレームに分割されうる。それぞれのサブフレームは、２つのスロットを備えることができる。そのため、それぞれの無線フレームは、０から１９までのインデックスを付けられた２０個のスロットを備えることができる。それぞれのスロットは、Ｌ個のシンボル期間、例えば、通常のサイクリックプレフィックス（図２に示されているような）に対しては７個のシンボル期間または拡張サイクリックプレフィックスに対しては６個のシンボル期間を備えることができる。それぞれのサブフレーム内の２Ｌ個のシンボル期間は、０から２Ｌ−１までのインデックスを割り当てられうる。利用可能な時間周波数リソースをいくつかのリソースブロックに分割することができる。それぞれのリソースブロックは１つのスロットでＮ個のサブキャリア（例えば、１２個のサブキャリア）をカバーすることができる。
【００２６】
ＬＴＥ／−Ａでは、ｅＮＢは、ｅＮＢ内のそれぞれのセルについて一次同期信号（ＰＳＳ）と二次同期信号（ＳＳＳ）とを送信することができる。一次同期信号および二次同期信号は、図２に示されているように、通常のサイクリックプレフィックスを有するそれぞれの無線フレームのサブフレーム０および５のそれぞれにおけるシンボル期間６および５でそれぞれ送信されうる。同期信号は、セルの検出およびセルの取得のためにＵＥによって使用されうる。ｅＮＢは、サブフレーム０のスロット１内のシンボル期間０から３で物理ブロードキャストチャネル（ＰＢＣＨ）を送信することができる。ＰＢＣＨは、特定のシステム情報を伝送することができる。
【００２７】
ｅＮＢは、図２に示されているように、それぞれのサブフレームの第１のシンボル期間で物理制御フォーマットインジケータチャネル（ＰＣＦＩＣＨ）を送信することができる。ＰＣＦＩＣＨは、制御チャネルに使用されるシンボル期間の数（Ｍ）を伝達することができるが、ただし、Ｍは１、２、または３に等しくてよく、サブフレームごとに変化しうる。Ｍは、小さなシステム帯域幅の場合、例えば、１０未満のリソースブロックである場合に、４に等しくてもよい。図２に示されている例では、Ｍ＝３である。ｅＮＢは、それぞれのサブフレームの最初のＭ個のシンボル期間で物理ＨＡＲＱインジケータチャネル（ＰＨＩＣＨ）と物理ダウンリンク制御チャネル（ＰＤＣＣＨ）を送信することができる。ＰＤＣＣＨおよびＰＨＩＣＨは、図２に示されている例における最初の３つのシンボル期間にも含まれる。ＰＨＩＣＨは、ハイブリッド自動再送（ＨＡＲＱ）をサポートする情報を伝送することができる。ＰＤＣＣＨは、ＵＥに対するリソース割り当てに関する情報とダウンリンクチャネルに対する制御情報とを伝送することができる。ｅＮＢは、それぞれのサブフレームの残りのシンボル期間で物理ダウンリンク共有チャネル（ＰＤＳＣＨ）を送信することができる。ＰＤＳＣＨは、ダウンリンク上のデータ送信がスケジュールされているＵＥに対するデータを伝送することができる。
【００２８】
それぞれのサブフレームの制御セクションで、つまり、それぞれのサブフレームの最初のシンボル期間でＰＨＩＣＨとＰＤＣＣＨとを送信することに加えて、ＬＴＥ−Ａは、それぞれのサブフレームのデータ部分においても同様に、これらの制御指向のチャネルを送信することができる。図２に示されているように、データ領域、例えば、中継物理ダウンリンク制御チャネル（Ｒ−ＰＤＣＣＨ）を利用するこれらの新しい制御設計は、それぞれのサブフレームの後のシンボル期間に含まれる。それに加えて、中継物理ＨＡＲＱインジケータチャネル（Ｒ−ＰＨＩＣＨ）も、それぞれのサブフレームの後のシンボル期間に含まれうる。Ｒ−ＰＤＣＣＨは、半二重中継オペレーションとの関連で元々開発されたデータ領域を利用する新しい種類の制御チャネルである。１つのサブフレーム内で最初の複数の制御シンボルを占有する、レガシーのＰＤＣＣＨおよびＰＨＩＣＨとは異なり、Ｒ−ＰＤＣＣＨおよびＲ−ＰＨＩＣＨは、元々データ領域として指定されているリソース要素（ＲＥ）にマッピングされる。新しい制御チャネルは、周波数分割多重（ＦＤＭ）、時分割多重（ＴＤＭ）、またはＦＤＭとＴＤＭとの組み合わせの形をとるものとしてよい。
【００２９】
ｅＮＢは、ｅＮＢによって使用されるシステム帯域幅の中心の１．０８ＭＨｚでＰＳＳとＳＳＳとＰＢＣＨとを送信することができる。ｅＮＢは、システム帯域幅全体にわたりＰＣＦＩＣＨとＰＨＩＣＨとを、これらのチャネルが送信されるそれぞれのシンボル期間において、送信することができる。ｅＮＢは、システム帯域幅のいくつかの部分においてＵＥのグループにＰＤＣＣＨを送信することができる。ｅＮＢは、システム帯域幅の特定の部分において特定のＵＥにＰＤＳＣＨを送信することができる。ｅＮＢは、すべてのＵＥにブロードキャスト方式でＰＳＳとＳＳＳとＰＢＣＨとＰＣＦＩＣＨとＰＨＩＣＨとを送信することができ、特定のＵＥにユニキャスト方式でＰＤＣＣＨを送信することができ、特定のＵＥにユニキャスト方式でＰＤＳＣＨを送信することもできる。
【００３０】
ＵＥは、複数のｅＮＢの通信カバレッジ内にあるものとしてよい。これらのｅＮＢのうちの１つは、ＵＥにサービスを提供するために選択されうる。サービングｅＮＢは、受信電力、経路損失、信号対雑音比（ＳＮＲ）などのさまざまな基準に基づき選択されうる。
【００３１】
図３は、アップリンクのロングタームエボリューション（ＬＴＥ／−Ａ）通信における例示的なフレーム構造３００を概念的に示すブロック図である。アップリンクに対して利用可能なリソースブロック（ＲＢ）は、データセクションと制御セクションとに分割されうる。制御セクションは、システム帯域幅の２つのエッジのところに形成されることができ、構成可能なサイズを有することができる。制御セクション内のリソースブロックは、制御情報の送信のためＵＥに割り当てられうる。データセクションは、制御セクションに含まれないすべてのリソースブロックを含むことができる。図３の設計の結果、データセクションは連続するサブキャリアを含み、これによりデータセクション内の連続するサブキャリアのすべてを単一のＵＥに割り当てること可能にできる。
【００３２】
ＵＥは、制御情報をｅＮＢに送信するために制御セクション内のリソースブロックを割り当てられうる。ＵＥは、データをｅＮｏｄｅ  Ｂに送信するためにデータセクション内のリソースブロックも割り当てられうる。ＵＥは、制御セクション内の割り当てられたリソースブロック３１０ａおよび３１０ｂ上の物理アップリンク制御チャネル（ＰＵＣＣＨ）で制御情報を送信することができる。ＵＥは、データセクション内の割り当てられたリソースブロック３２０ａおよび３２０ｂ上の物理アップリンク共有チャネル（ＰＵＳＣＨ）でデータのみまたはデータと制御の両方の情報を送信することができる。アップリンク送信は、サブフレームの両方のスロットにまたがることがあり、また図３に示されているように周波数にわたってホップすることができる。
【００３３】
再び図１を参照すると、ワイヤレスネットワーク１００は、単位面積当たりのシステムのスペクトル効率を改善するために多様なｅＮＢ  １１０群（つまり、マクロｅＮＢとピコｅＮＢとフェムトｅＮＢと）を使用することがわかる。ワイヤレスネットワーク１００は、そのスペクトル範囲に対してそのような異なるｅＮＢを使用するので、これは、異種(heterogeneous)ネットワークとも称されうる。マクロｅＮＢ  １１０ａ〜ｃは、通常、ワイヤレスネットワーク１００のプロバイダによって慎重に計画され、配置される。マクロｅＮＢ  １１０ａ〜ｃは、一般的に、高い電力レベル（例えば、５Ｗ〜４０Ｗ）で送信する。実質的により低い電力レベル（例えば、１００ｍＷ〜２Ｗ）で一般的に送信する、ピコｅＮＢ  １１０ｘは、マクロｅＮＢ  １１０ａ〜ｃによって提供されるカバレッジエリア内のカバレッジホールをなくすため、およびホットスポット内のキャパシティを改善するために比較的無計画な方法で展開される。典型的にはワイヤレスネットワーク１００とは独立して展開される、フェムトｅＮＢ  １１０ｙ〜ｚは、それでも、それらの１つまたは複数の管理者によって許可されている場合にはワイヤレスネットワーク１００への潜在的アクセスポイントとして、または少なくとも、リソースの調整と干渉管理の調整とを実行するためにワイヤレスネットワーク１００の他のｅＮＢ  １１０と通信することができるアクティブで認知するｅＮＢとして、ワイヤレスネットワーク１００のカバレッジエリア内に組み込まれうる。フェムトｅＮＢ  １１０ｙ〜ｚは、典型的には、マクロｅＮＢ  １１０ａ〜ｃよりも実質的に低い電力レベル（例えば、１００ｍＷ〜２Ｗ）でも送信する。
【００３４】
ワイヤレスネットワーク１００などの、異種ネットワークの動作時に、それぞれのＵＥは、通常、よりよい信号品質を有するｅＮＢ  １１０によってサービスを受け、他のｅＮＢ  １１０から受信された不要な信号は、干渉として処理される。そのような動作原理は、著しく次善最適である性能をもたらす可能性があるが、ネットワーク性能の利得は、ｅＮＢ  １１０間のインテリジェントなリソースの調整と、よりよいサーバ選択戦略と、効率的な干渉管理のためのより高度な技術とを使用することによってワイヤレスネットワーク１００内で実現される。
【００３５】
ピコｅＮＢ  １１０ｘなどのピコｅＮＢは、マクロｅＮＢ  １１０ａ〜ｃなどの、マクロｅＮＢと比較したときの実質的により低い送信電力によって特徴付けられる。ピコｅＮＢも、通常は、アドホックな方式で、ワイヤレスネットワーク１００などのネットワークのあちこちに配置される。この無計画な展開のため、ワイヤレスネットワーク１００などのピコｅＮＢの配置が行われるワイヤレスネットワークは、低い信号対干渉コンディションの大きな領域を有すると予想することができ、カバレッジエリアまたはセルのエッジ上のＵＥ（「セルエッジ」ＵＥ）に制御チャネルの送信を行うためにより難しいＲＦ環境を助長しうる。さらに、マクロｅＮＢ  １１０ａ〜ｃとピコｅＮＢ  １１０ｘとの間の送信電力レベルの潜在的に大きな差異（例えば、約２０ｄＢ）は、混合展開では、ピコｅＮＢ  １１０ｘのダウンリンクカバレッジエリアがマクロｅＮＢ  １１０ａ〜ｃのカバレッジエリアよりもかなり小さくなることを意味している。
【００３６】
しかし、アップリンクの場合、アップリンク信号の信号強度は、ＵＥによって決定され、そのため、どのような種類のｅＮＢ  １１０によって受信されても似ている。ｅＮＢ  １１０に対するアップリンクのカバレッジエリアがおおよそ同じであるか、または類似している場合、アップリンクハンドオフ境界がチャネル利得に基づき決定される。このため、ダウンリンクハンドオーバー境界とアップリンクハンドオーバー境界との間に不整合が生じうる。追加のネットワーク調整(accommodations)がない場合、この不整合により、サーバ選択またはｅＮＢへのＵＥの関連付けは、ワイヤレスネットワーク１００では、ダウンリンクハンドオーバー境界およびアップリンクハンドオーバー境界がより正確に整合するマクロｅＮＢのみの同種ネットワークに比べて困難なものとなる。
【００３７】
サーバ選択がダウンリンクでの受信信号強度にもっぱら基づく場合、ワイヤレスネットワーク１００などの異種ネットワークの混合ｅＮＢ展開の有用性は大幅に減じる。これは、マクロｅＮＢ  １１０ａ〜ｃのより高いダウンリンク受信信号強度が利用可能なＵＥのすべてを引き付け、その一方でピコｅＮＢ  １１０ｘはダウンリンク送信電力がかなり弱いためどのＵＥにもサービスを提供していない可能性があるため、マクロｅＮＢ  １１０ａ〜ｃなどのより高出力のマクロｅＮＢのより大きなカバレッジエリアがピコｅＮＢ  １１０ｘなどのピコｅＮＢでセルの通信カバレッジを分割する利点を制限することになるからである。さらに、マクロｅＮＢ  １１０ａ〜ｃは、これらのＵＥに効率的にサービスを提供するのに十分なリソースを有しない可能性がある。したがって、ワイヤレスネットワーク１００は、ピコｅＮＢ  １１０ｘのカバレッジエリアを拡大することによってマクロｅＮＢ  １１０ａ〜ｃとピコｅＮＢ  １１０ｘとの間の負荷分散を能動的に実行することを試みる。この概念は、範囲拡張(range extension)と称される。
【００３８】
ワイヤレスネットワーク１００は、サーバ選択を決定する方式を変更することによってこの範囲拡張を実行する。サーバ選択をダウンリンク受信信号強度に基づいて実行する代わりに、選択はダウンリンク信号の品質により大きく基づく。このような１つの品質ベースの決定では、サーバ選択は、ＵＥへの経路損失を最小にするｅＮＢを決定することに基づくものとしてよい。それに加えて、ワイヤレスネットワーク１００は、マクロｅＮＢ  １１０ａ〜ｃとピコｅＮＢ  １１０ｘとの間で均等にリソースの固定されたパーティショニングを行う。しかし、この能動的な負荷分散であっても、マクロｅＮＢ  １１０ａ〜ｃからのダウンリンク干渉は、ピコｅＮＢ  １１０ｘなどのピコｅＮＢによるサービスを受けるＵＥに対して緩和されなければならない。これは、ＵＥでの干渉除去、ｅＮＢ  １１０間のリソース調整、または同様の機能を含む、さまざまな方法によって遂行されうる。
【００３９】
ワイヤレスネットワーク１００などの、範囲拡張のある異種ネットワークにおいて、マクロｅＮＢ  １１０ａ〜ｃなどのより高出力のｅＮＢから送信されたより強いダウンリンク信号の存在下で、ピコｅＮＢ  １１０ｘなどのより低出力のｅＮＢからＵＥがサービスを得るために、ピコｅＮＢ  １１０ｘは、マクロｅＮＢ  １１０ａ〜ｃのうちのいくつかの支配的干渉マクロｅＮＢとの制御チャネルおよびデータチャネル干渉調整に携わる。干渉調整のための多くの異なる技術が、干渉を管理するために使用されうる。例えば、セル間干渉調整（ＩＣＩＣ）は、同一チャネル展開におけるセルからの干渉を低減するために使用されうる。ＩＣＩＣ機構の１つは、適応型リソースパーティショニング（adaptive resource partitioning）である。適応型リソースパーティショニングでは、サブフレームを特定のいくつかのｅＮＢに割り当てる。第１のｅＮＢに割り当てられたサブフレームにおいて、隣接ｅＮＢは送信を行わない。したがって、第１のｅＮＢのサービスを受けるＵＥにもたらされる干渉は低減される。サブフレームの割り当ては、アップリンクとダウンリンクの両方のチャネル上で実行されうる。
【００４０】
例えば、アップリンクとダウンリンクの両方の送信におけるサブフレームは、保護サブフレーム（Ｕサブフレーム）、禁止サブフレーム（Ｎサブフレーム）、おおびフレキシブルサブフレーム（Ｘサブフレーム）の３つのクラスのサブフレームのうちのどれかに割り当てることができる。保護サブフレームは、第１のｅＮＢによる排他的な使用のために第１のｅＮＢに割り当てられる。保護サブフレームは、隣接するｅＮＢからの干渉がないことに基づき「クリーン」(“clean”)サブフレームとも称されうる。禁止サブフレームは、隣接ｅＮＢに割り当てられたサブフレームであり、第１のｅＮＢは、禁止サブフレームの間データを送信することを禁止される。例えば、第１のｅＮＢの禁止サブフレームは、第２の干渉するｅＮＢの保護サブフレームに対応しうる。そのため、第１のｅＮＢは、第１のｅＮＢの保護サブフレームの間データを送信する唯一のｅＮＢである。複数のｅＮＢによるデータ送信には共通サブフレームが使用されうる。共通サブフレームは、他のｅＮＢからの干渉の可能性があるため「クリーンでない」(“unclean”)サブフレームとも称されうる。
【００４１】
少なくとも１つの保護サブフレームは、期間ごとに静的に割り当てられる。いくつかの場合において、ただ１つの保護サブフレームのみが静的に割り当てられる。例えば、期間が８ミリ秒である場合、毎回８ミリ秒の間に１つの保護サブフレームをｅＮＢに静的に割り当てることができる。他のサブフレームは、動的に割り当てることができる。
【００４２】
適用型リソースパーティショニング情報（ＡＲＰＩ）を使用することで、非静的に割り当てられるサブフレームを動的に割り当てることができる。保護サブフレーム、禁止サブフレーム、または共通サブフレームのどれも、動的に割り当てることができる（それぞれ、ＡＵ、ＡＮ、ＡＸサブフレーム）。動的割り当ては、例えば１００ミリ秒ごと、またはそれより短い間隔でなど、素早く変化しうる。
【００４３】
異種ネットワークは、異なる電力クラスのｅＮＢを有することができる。例えば、３つの電力クラスが、電力クラスの小さくなる順に、マクロｅＮＢ、ピコｅＮＢ、およびフェムトｅＮＢとして定義されうる。マクロｅＮＢ、ピコｅＮＢ、およびフェムトｅＮＢが同一チャネル展開に含まれる場合、マクロｅＮＢ（加害者ｅＮＢ）のパワースペクトル密度（ＰＳＤ）は、ピコｅＮＢおよびフェムトｅＮＢ（被害者ｅＮＢ）のＰＳＤより大きいことがあり、これによりピコｅＮＢおよびフェムトｅＮＢとの干渉量が大きくなる。保護サブフレームを使用して、ピコｅＮＢおよびフェムトｅＮＢとの干渉を低減もしくは最小にすることができる。つまり、保護サブフレームは、加害者ｅＮＢ上の禁止サブフレームと対応するように被害者ｅＮＢについてスケジュールされうるということである。
【００４４】
図４は、本開示の一態様による異種ネットワークにおける時分割多重（ＴＤＭ）パーティショニングを示すブロック図である。ブロックの第１の行は、フェムトｅＮＢに対するサブフレーム割り当てを示しており、ブロックの第２の行は、マクロｅＮＢに対するサブフレーム割り当てを示している。ｅＮＢのそれぞれは、他のｅＮＢが静的禁止サブフレームを有している間に静的保護サブフレームを有する。例えば、フェムトｅＮＢは、サブフレーム０における禁止サブフレーム（Ｎサブフレーム）に対応するサブフレーム０における保護サブフレーム（Ｕサブフレーム）を有する。同様に、マクロｅＮＢは、サブフレーム７における禁止サブフレーム（Ｎサブフレーム）に対応するサブフレーム７における保護サブフレーム（Ｕサブフレーム）を有する。サブフレーム１〜６は、保護サブフレーム（ＡＵ）、禁止サブフレーム（ＡＮ）、およびフレキシブルサブフレーム（ＡＸ）のいずれかとして動的に割り当てられる。サブフレーム５および６の動的に割り当てられたフレキシブルサブフレーム（ＡＸ）の間、フェムトｅＮＢとマクロｅＮＢの両方がデータを送信することができる。
【００４５】
保護サブフレーム（Ｕ／ＡＵサブフレームなど）は、加害者ｅＮＢが送信することを禁止されているため、低減された干渉および高いチャネル品質を有する。禁止サブフレーム（Ｎ／ＡＮサブフレームなど）には、被害者ｅＮＢが低い干渉レベルでデータを送信することを可能にするためにデータ送信がない。フレキシブルサブフレーム（Ｘ／ＡＸサブフレームなど）は、データを送信する隣接ｅＮＢの数に依存するチャネル品質を有する。例えば、隣接ｅＮＢがフレキシブルサブフレーム上でデータを送信している場合、フレキシブルサブフレームのチャネル品質は、保護サブフレームよりも低くなることがある。フレキシブルサブフレーム上のチャネル品質は、加害者ｅＮＢの影響を強く受ける拡張境界領域（ＥＢＡ：extended boundary area）ＵＥについて、より低くなることもある。ＥＢＡ  ＵＥは、第１のｅＮＢに属すが、第２のｅＮＢのカバレッジエリア内に配置されていてもよい。例えば、フェムトｅＮＢの通信カバレッジの範囲の限界近くにあるマクロｅＮＢと通信しているＵＥは、ＥＢＡ  ＵＥである。
【００４６】
ワイヤレスネットワーク１００などの異種ネットワークの配備では、ＵＥは、ＵＥ側で１つまたは複数の干渉するｅＮＢからの高い干渉を観測する可能性のある支配的干渉シナリオにおいて動作する場合がある。支配的干渉シナリオは、関連付けが制限されているため生じる可能性がある。例えば、図１では、ＵＥ  １２０ｙは、フェムトｅＮＢ  １１０ｙの近くにあり、ｅＮＢ  １１０ｙに対する高い受信電力を有しうる。しかし、ＵＥ  １２０ｙは、関連付けが制限されているためフェムトｅＮＢ  １１０ｙにアクセスすることができず、その後、マクロｅＮＢ  １１０ｃ（図１に示されているような）に接続するか、やはりより低い受信電力でフェムトｅＮＢ  １１０ｚ（図１に示されていない）に接続することができる。ＵＥ  １２０ｙでは、次いで、ダウンリンク上でフェムトｅＮＢ  １１０ｙからの高い干渉が観測され、また、アップリンク上でｅＮＢ  １１０ｙへの高い干渉を引き起こしうる。調整された干渉管理を使用することで、ｅＮＢ  １１０ｃおよびフェムトｅＮＢ  １１０ｙは、バックホール１３４上で通信し、リソースのネゴシエーションを行うことができる。このネゴシエーションにおいて、フェムトｅＮＢ  １１０ｙは、そのチャネルリソースのうちの１つでの送信を中止することに同意し、これにより、ＵＥ  １２０ｙは、その同じチャネル上でｅＮＢ  １１０ｃと通信するときにフェムトｅＮＢ  １１０ｙからあまり大きな干渉を受けることはない。
【００４７】
このような支配的干渉シナリオにおいてＵＥ側で観測される信号電力の食い違いに加えて、ダウンリンク信号のタイミング遅延も、ＵＥと複数のｅＮＢとの間の距離が異なるため、同期システムであっても、ＵＥ側で観測されうる。同期システムにおけるｅＮＢは、仮定的には、システムにわたって同期される。しかし、例えば、マクロｅＮＢからの距離が５ｋｍあるＵＥを考えた場合、そのマクロｅＮＢから受信される任意のダウンリンク信号の伝搬遅延は、約１６．６７μｓ（５ｋｍ÷３×１０8、つまり、光の速度「ｃ」）ほど遅延される。マクロｅＮＢからのそのダウンリンク信号をかなり近いフェムトｅＮＢからのダウンリンク信号と比較すると、タイミングの差は、有効期間(time-to-live)（ＴＴＬ）エラーのレベルに近づく可能性がある。
【００４８】
それに加えて、そのようなタイミングの差は、ＵＥでの干渉除去に影響を及ぼしうる。干渉除去では、多くの場合、同じ信号の複数のバージョンの組み合わせの間の相互相関特性を使用する。同じ信号の複数のコピーを組み合わせると、信号のそれぞれのコピーについて干渉がある可能性が高いが、同じ場所にない可能性が高いので、干渉をより容易に識別することができる。組み合わされた信号の相互相関を使用することで、実際の信号部分を決定し、干渉から区別することができ、そのため、干渉を除去することができる。
【００４９】
図５は、図１の基地局／ｅＮＢのうちの１つおよびＵＥのうちの１つとすることができる、基地局／ｅＮＢ  １１０およびＵＥ  １２０の設計のブロック図を示している。制限された関連付けのシナリオでは、ｅＮＢ  １１０は、図１におけるマクロｅＮＢ  １１０ｃであり、ＵＥ  １２０は、ＵＥ  １２０ｙであるものとしてよい。ｅＮＢ  １１０は、他の何らかの種類の基地局であってもよい。ｅＮＢ  １１０は、アンテナ５３４ａから５３４ｔを備えることができ、ＵＥ  １２０は、アンテナ５５２ａから５５２ｒを備えることができる。
【００５０】
ｅＮＢ  １１０において、送信プロセッサ５２０は、データソース５１２からデータを受信し、コントローラ／プロセッサ５４０から制御情報を受信することができる。この制御情報は、ＰＢＣＨ、ＰＣＦＩＣＨ、ＰＨＩＣＨ、ＰＤＣＣＨなどに対するものであってよい。データは、ＰＤＳＣＨなどに対するものであってよい。送信プロセッサ５２０は、データと制御情報とを処理（例えば、符号化およびシンボルマッピング）し、データシンボルと制御シンボルとをそれぞれ取得することができる。送信プロセッサ５２０は、例えば、ＰＳＳ、ＳＳＳ、およびセル特有の基準信号に対する基準シンボルを生成することもできる。送信（ＴＸ）複数入力複数出力（ＭＩＭＯ）プロセッサ５３０は、該当する場合に、データシンボル、制御シンボル、および／または基準シンボルに対して空間的処理（例えば、プリコーディング）を実行し、出力シンボルストリームを変調器（ＭＯＤ）５３２ａから５３２ｔに供給することができる。それぞれの変調器５３２は、出力サンプルストリームを得るために、各出力シンボルストリーム（例えば、ＯＦＤＭなどの）を処理することができる。それぞれの変調器５３２は、その出力サンプルストリームを処理（例えば、アナログ変換、増幅、フィルター処理、およびアップコンバート）して、ダウンリンク信号を取得することができる。変調器５３２ａから５３２ｔのダウンリンク信号は、それぞれアンテナ５３４ａから５３４ｔを介して送信されうる。
【００５１】
ＵＥ  １２０において、アンテナ５５２ａから５５２ｒは、ｅＮＢ  １１０からダウンリンク信号を受信することができ、受信された信号を復調器（ＤＥＭＯＤ）５５４ａから５５４ｒにそれぞれ供給することができる。それぞれの復調器５５４は、入力サンプルを取得するために、各受信された信号を調節（例えば、フィルター処理、増幅、ダウンコンバート、およびデジタイズ）することができる。それぞれの復調器５５４は、受信されたシンボルを取得するために、入力サンプル（例えば、ＯＦＤＭなどの）をさらに処理することができる。ＭＩＭＯ検出器５５６は、すべての復調器５５４ａから５５４ｒからの受信されたシンボルを取得し、該当する場合に受信されたシンボルに対してＭＩＭＯ検出を実行し、検出されたシンボルを供給することができる。受信プロセッサ５５８は、検出されたシンボルを処理（例えば、復調、デインターリーブ、および復号化）し、ＵＥ  １２０に対する復号化されたデータをデータシンク５６０に供給し、復号化された制御情報をコントローラ／プロセッサ５８０に供給することができる。
【００５２】
アップリンクでは、ＵＥ  １２０において、送信プロセッサ５６４は、データソース５６２からデータ（例えば、ＰＵＳＣＨの）を受信して処理し、コントローラ／プロセッサ５８０から制御情報（例えば、ＰＵＣＣＨの）を受信して処理することができる。送信プロセッサ５６４は、基準信号に対する基準シンボルを生成することもできる。送信プロセッサ５６４からのシンボルは、該当する場合にＴＸ  ＭＩＭＯプロセッサ５６６によってプリコーディングされ、復調器５５４ａから５５４ｒによってさらに処理され（例えば、ＳＣ−ＦＤＭなどのために）、ｅＮＢ  １１０に送信されうる。ｅＮＢ  １１０において、ＵＥ  １２０からのアップリンク信号は、アンテナ５３４によって受信され、変調器５３２によって処理され、該当する場合にＭＩＭＯ検出器５３６によって検出され、ＵＥ  １２０によって送信された復号化済みのデータと制御情報とを取得するために受信プロセッサ５３８によってさらに処理されうる。プロセッサ５３８は、復号化されたデータをデータシンク５３９に供給し、復号化された制御情報をコントローラ／プロセッサ５４０に供給することができる。
【００５３】
コントローラ／プロセッサ５４０および５８０は、それぞれ、ｅＮＢ  １１０およびＵＥ  １２０におけるオペレーションを指令することができる。ｅＮＢ  １１０におけるコントローラ／プロセッサ５４０および／または他のプロセッサとモジュールは、本明細書で説明されている技術に対するさまざまなプロセスを実行するか、またはその実行を指令することができる。ＵＥ  １２０におけるコントローラ／プロセッサ５８０および／または他のプロセッサとモジュールは、図８および９に例示されている機能ブロックおよび／または本明細書で説明されている技術に対する他のプロセスを実行するか、またはその実行を指令することもできる。メモリ５４２および５８２は、それぞれ、ｅＮＢ  １１０およびＵＥ  １２０用のデータとプログラムコードとを格納することができる。スケジューラ５４４は、セルカバレッジエリアに対する１つまたは複数のリソースパーティションスケジュールを設定することを含めてダウンリンクおよび／またはアップリンク上でデータ送信のためにＵＥをスケジュールすることができる。
【００５４】
圧倒的な干渉（例えば、ダウンリンク、アップリンク、または両方の方向における）から制御および／またはデータ送信をよりよく保護するために、前に指摘したように、異なるノード電力クラスの間で、例えば、リソースパーティショニングを介して、干渉管理を実行すると有利な場合がある。一例では、アップリンク（ＵＬ）に対する時間領域（時分割複信（ＴＤＤ））ベースのリソースパーティショニングにおいて、３つのＵＬサブフレームタイプが、所与のセルについて、典型的には異なるクラスのセルからの干渉がない使用可能な「Ｕ」サブフレーム、異なるクラスのセルへの過剰な干渉を回避するために所与のセルによって典型的には使用されない使用不可能な「Ｎ」サブフレーム、およびｅＮＢ実装に基づきフレキシブルに使用されうる、フレキシブルな「Ｘ」サブフレームとして定義される。
【００５５】
一例では、サブフレームタイプの管理を認識するＵＥは、典型的には、最良の保護となるように「Ｕ」サブフレームで送信することができる。これらのＵＥは、過剰な干渉を回避するために少なくとも最善努力方式で「Ｎ」サブフレームを使用する送信も回避すべきである。これらのＵＥは、所与のセルによる決定に応じて、「Ｘ」サブフレームを使用するか、または使用しないものとしてよい。言い換えると、一例では、「Ｕ」サブフレームは最も使用されるものとして予期され、「Ｎ」サブフレームは最も使用されることが少ない、または決して使用されないものとして予期され、「Ｘ」サブフレームは使用される場合も使用されない場合もある。
【００５６】
別の例では、アップリンクのハイブリッド自動再送要求（Ｈ−ＡＲＱ）オペレーションは、同期的であり、固定されたタイミング関係に従う。特に、周波数分割複信（ＦＤＤ）システムの場合、固定された８ｍｓのＨ−ＡＲＱラウンドトリップタイム（ＲＴＴ）が指定され、これは２つの部分（１）ＰＤＣＣＨまたはＰＨＩＣＨ送信とＰＵＳＣＨ送信との間での固定された４ｍｓと、（２）ＰＵＳＣＨ送信と次のＰＤＣＣＨまたは次のＰＨＩＣＨとの間の別の固定された４ｍｓとを備える。一態様では、ＬＴＥ−Ａについて、そのような８ｍｓベースのＨ−ＡＲＱ  ＲＴＴが変更される可能性はあるが、それでも、できる限り同じ８ｍｓ  Ｈ−ＡＲＱ  ＲＴＴを維持することが好ましい。
【００５７】
別の態様では、ＵＬ  Ｈ−ＡＲＱオペレーションを考慮すると、特に後方互換性のために、ＵＬに対するリソースパーティショニングに基づく８ｍｓの周期が望ましい。例えば、第１のクラスについては［Ｕ，Ｘ，Ｘ，Ｘ，Ｎ，Ｘ，Ｘ，Ｘ］として、また第２のクラスについては［Ｎ，Ｘ，Ｘ，Ｘ，Ｕ，Ｘ，Ｘ，Ｘ］として２つの電力クラスに対するＵＬリソースパーティショニングを構成することができるが、それぞれのクラスは８ｍｓの周期に従い、これら２つのクラスは相補的な「Ｕ」と「Ｎ」のサブフレーム構成をとる。
【００５８】
いくつかのＵＬ制御信号は、８ｍｓの周期と完全に互換性があるとは限らない周期で設計される。ここで、「互換性」は、制御信号について定義されている周期が与えられた場合に、制御信号の送信が保護サブフレームタイプ、例えば、「Ｕ」サブフレームに完全に含まれることが保証されうるように定義される。特に、周期的チャネル品質インジケータ／プリコーディングマトリクスインジケータ（ＣＱＩ／ＰＭＩ）の報告については、周期は、２、５、１０、２０、４０、８０、１６０、３２、６４、１２８ｍｓとすることができ、ここで、５、１０、２０ｍｓは８ｍｓの周期と互換性がない。周期的ランク指標（ＲＩ）の報告については、周期は、ＣＱＩの整数倍数とすることができ、ここで整数は１、２、４、８、１６、３２の値をとることができる。ＣＱＩ周期性と整数倍数とのある種の組み合わせに関して、その結果得られるＲＩ周期性は、８ｍｓベースのリソースパーティショニングとも互換性がない場合がある。スケジューリング要求（ＳＲ）は、１、２、５、１０、２０、４０、８０ｍｓの周期で構成されうるものであり、ここで５、１０、２０ｍｓは８ｍｓの周期と互換性がない。半持続的スケジューリングでは、ＡＣＫ／ＮＡＫリソースは、上位のネットワーク層によって半静的に構成され、１０、２０、３２、４０、６４、８０、１２８、１６０、３２０、６４０  ｍｓの周期を有することができ、ここで１０、２０ｍｓは８ｍｓの周期と互換性がない。さらに別の例では、Ｖｏｉｃｅ−ｏｖｅｒ−ＩＰ（ＶｏＩＰ）サービスは、典型的には２０ｍｓの周期を使用する。
【００５９】
別の態様では、８ｍｓベースのＵＬリソースパーティショニングおよびある種のＵＬ制御信号に対するいくつかの周期の非互換性があると、いくつかの制御信号がより大きな周期を使用するよう強制される可能性があり、性能にネガティブな影響をもたらしうる。例えば、より遅いＣＱＩの報告は、ダウンリンクの性能に影響を及ぼす可能性があり、より大きなＳＲ周期は、結果としてより遅いＵＬ応答をもたらしうる。周期性構成が非互換である制御信号の場合、結果として、実際上より大きな周期および／または不要なＵＬ送信ももたらしうる。例えば、５ｍｓのＣＱＩ周期が構成される場合、また８ｍｓベースのリソースパーティショニングにおいて１つだけの「Ｕ」サブフレームがある場合、実際には、ＣＱＩの報告周期は４０ｍｓである。サブフレームタイプ管理を認識しないレガシーＵＥでは、ＣＱＩ送信の８０％（８ｍｓ対４０ｍｓ）は、「不要な」送信であり、ＵＬ干渉を不必要に引き起こしうる。次いで、本開示では、非互換性問題を解消する解決策を開示する。
【００６０】
一例では、ＵＬ制御とＵＬデータとに対して、個別のリソースパーティショニング管理を使用することができる。特に、ＵＬ  ＰＵＳＣＨおよび動的なＡＣＫ／ＮＡＫ送信では、第１のリソースパーティショニング管理が定義されるが、周期的ＣＱＩ／ＰＭＩ／ＲＩ、ＳＲ、および半持続的スケジューリング（ＳＰＳ）ＡＣＫ／ＮＡＫについては、第２のリソースパーティショニング管理が定義される。
【００６１】
一態様では、リソースパーティショニング管理は、周期性、サブフレームタイプのカテゴリ化、などの形をとりうる。例えば、第１のリソースパーティショニングは８ｍｓベースであり、第２のリソースパーティショニングは１０ｍｓベースである。図６は、ＵＬ制御とＵＬデータとに対する例示的な個別のリソースパーティショニング管理スケジュールを使用するサブフレーム６００を例示している。この例では、第１のリソースパーティション６０４は、ＰＵＳＣＨ  ６０３の送信と動的ＡＣＫ／ＮＡＫ領域６０２の送信とに対する割り当てを含む。第２のリソースパーティション６０５は、ＰＵＣＣＨ領域６０１に対する割り当てを含む。第１のリソースパーティション６０４は、第２のリソースパーティション６０５の周期と異なる周期に基づく。例えば、第１のリソースパーティション６０４は８ｍｓの周期に基づきうるが、第２のリソースパーティション６０５は１０ｍｓの周期に基づく。
【００６２】
動的ＡＣＫ／ＮＡＣＫ領域６０２は、送信されるＳＰＳ  ＡＣＫ／ＮＡＣＫメッセージがないときに、データ領域、ＰＵＳＣＨ領域６０３によって再利用されうるように構成される。そのため、ＳＰＳ  ＡＣＫ／ＮＡＣＫメッセージの現在の送信がない場合に、ＰＵＳＣＨ領域６０３によって追加のリソースブロックが使用され、これにより、サブフレーム上のデータ帯域幅を増やすことができる。
【００６３】
別の態様では、本開示のリソースパーティション管理パラダイムは、以下の特徴のうちのいくつかを備えることができる。例えば、第１のリソースパーティション６０４に基づきＳＰＳ  ＡＣＫ／ＮＡＫをカテゴリ化することが可能である場合もある。第２のリソースパーティション６０５は、第１のリソースパーティションの上位集合であってもよい。例えば、第１のリソースパーティション６０４は８ｍｓの周期に基づくことができるが、第２のリソースパーティション６０５は、８ｍｓと１０ｍｓの最小公倍数である４０ｍｓの周期（ビットマップ）に基づくことができる。例えば、第２のリソースパーティション６０５の周期は、潜在的に第１のリソースパーティション６０４と同じシステム情報ブロック（ＳＩＢ）で、ブロードキャストされてもよい。
【００６４】
別の例では、第１のリソースパーティション６０４および第２のリソースパーティション６０５は同じ周期を有していてもよいが、異なるサブフレームタイプの異なるカテゴリ化を有することができる。例えば、異なるノード間の負荷を考慮することで、例えば、ただ１つの「Ｕ」サブフレームが、ＵＬデータについて８ｍｓごとに構成され、複数の「Ｕ」サブフレームは、低遅延のＣＱＩ報告が可能なようにＵＬ制御に対して同じ８ｍｓの周期で構成されうる。
【００６５】
図７Ａは、本開示の一態様により送信ストリームに適用される二重リソースパーティショニングスケジュールを有する送信ストリーム７００を示すブロック図である。送信ストリーム７００は、データに対する第１のリソースパーティションスケジュール７０１と印加される制御信号に対する第２のリソースパーティションスケジュール７０２とを有する。第１および第２のリソースパーティションスケジュール７０１および７０２のそれぞれに対する周期は同じである。しかし、サブフレームのクラス割り当ては、２つのスケジュールの間で異なる。例えば、第１のリソースパーティションスケジュール７０１では、使用可能な「Ｕ」サブフレームはサブフレーム０でのデータ送信用にスケジュールされ、使用不可能な「Ｎ」サブフレームは制御信号に対する第２のリソースパーティションスケジュール７０２においてスケジュールされる。同様に、第２のリソースパーティションスケジュール７０２では、２つの使用可能な「Ｕ」サブフレームがサブフレーム４および６においてスケジュールされ、使用不可能なサブフレーム「Ｎ」は、第１のリソースパーティションスケジュールのサブフレーム４についてスケジュールされ、フレキシブルな「Ｘ」は、第１のリソースパーティションスケジュールのサブフレーム６においてスケジュールされる。上記のように、複数の「Ｕ」サブフレームが制御信号についてスケジュールされている構成では、低遅延ＣＱＩの報告が可能になる。
【００６６】
図７Ｂは、本開示の別の態様による二重リソースパーティショニングスケジュールを有する送信ストリーム７０を示すブロック図である。送信ストリーム７０は、制御領域７０４とデータ領域７０３とに分割されて図示されている。個別のサブフレーム分類スキームを有するそれぞれの領域のそれぞれのサブフレームによって例示されているように、第１のリソースパーティションスケジュールは、制御領域７０４に適用され、第２のリソースパーティションスケジュールは、データ領域７０３に適用される。制御領域７０４とデータ領域７０３とに適用される個別のリソースパーティションスケジュールに加えて、制御領域７０４は、１０ｍｓの周期を有し、データ領域７０３は、８ｍｓの周期を有する。サブフレーム０／８において、データ領域７０３は、データ領域７０３に対する新規フレームの第１のサブフレームを表す、使用不可能な「Ｎ」サブフレームを割り当てられ、制御領域７０４は、制御領域７０４について図示されている第１のフレームの９番目のサブフレームを表す使用可能な「Ｕ」サブフレームを割り当てられる。
【００６７】
図７Ｃは、本開示の別の態様による二重リソースパーティショニングスケジュールを有する送信ストリーム７１を示すブロック図である。送信ストリーム７１は、制御領域７０４とデータ領域７０３とに分割されているように図示されているが、動的なＡＣＫ／ＮＡＣＫ領域７０５も例示している。送信ストリーム７０（図７Ｂ）の場合と同様に、送信ストリーム７１のＡＣＫ／ＮＡＣＫ信号は、常時送信されるとは限らない。したがって、動的なＡＣＫ／ＮＡＣＫ領域７０５は、常に使用されるとは限らない。例えば、ＡＣＫ／ＮＡＣＫ信号は、サブフレーム２／２内の制御領域７０４の動的なＡＣＫ／ＮＡＣＫ領域７０５で送信されるが、どのＡＣＫ／ＮＡＣＫ信号も、サブフレーム３／３内の制御領域７０４では送信されない。ＡＣＫ／ＮＡＣＫ信号が送信されない場合、制御領域７０４の動的なＡＣＫ／ＮＡＣＫ領域７０５は、さらに多くのデータを送信するためにデータ領域７０３によって回収されうる。したがって、動的なＡＣＫ／ＮＡＣＫ領域７０５は、ＡＣＫ／ＮＡＣＫ信号のスケジュールを受け入れ、ＡＣＫ／ＮＡＣＫ信号が存在していない場合にデータ領域７０３でのデータ送信を増やすことを可能にするフレキシブルな領域である。
【００６８】
ｅＮＢの観点からのオペレーションでは、個別のリソースパーティションスケジュールが、サービスを受けるセル内で生成され、ブロードキャストされる。図８は、本開示の一態様を実装するために実行される例示的なブロックを示す機能ブロック図である。
【００６９】
ブロック８００において、ｅＮＢは、少なくとも１つのＵＬ制御信号に対する第１のリソースパーティションスケジュールを生成する。ブロック８０１において、少なくとも１つのＵＬデータ信号に対して第２のリソースパーティションスケジュールが生成され、その際に、第１および第２のリソースパーティションは同じ送信フレーム構造に適用可能である。選択された周期は、異なっていても、また類似していてもよい。例えば、第１の周期は１０ｍｓに基づくが、第２の周期は８ｍｓに基づくか、またはその逆である。選択された周期は、送信される情報の好ましい周期と相関しうる。上記のように、異なる周期から利益を得るか、または異なる周期に限定される異なる種類の情報は、適切な周期で適切なパーティション上で送信されうる。一例において、これらのパーティションは、ＬＴＥ／−Ａフレームにおいて標準的な制御領域とデータ領域とに分離されうる。しかし、それに限定されない。さらに、これらのパーティションは、動的または半持続的なＡＣＫ／ＮＡＣＫパーティションを提供するようにも分割されうる。
【００７０】
ブロック８０２において、第１および第２のリソースパーティションスケジュールがＵＥに送信される。例えば、これらのパーティションスケジュールは、ＳＩＢ送信内に配置されうる。あるいは、スケジュールを代替的ＳＩＢ、ＭＩＢ内に入れるか、または別の制御送信構造内に入れることができる。
【００７１】
次いで、ｅＮＢは、ＵＥから、ブロック８０３において、送信フレームを受信するが、そこでは、送信フレームは、第１のリソースパーティションスケジュールと第２のリソースパーティションスケジュールとに従って構成されている。例えば、フレーム構造は、上で述べているように分割されて、ＬＴＥ／−Ａもしくは別のアップリンク送信スキームにおけるアップリンク構造に準拠するものとしてよい。
【００７２】
ＵＥの観点から、ＵＥは、システム情報に対する通常のシステムブロードキャストを監視する。図９は、本開示の一態様を実装するために実行される例示的なブロックを示す機能ブロック図である。
【００７３】
ブロック９００において、ＵＥは、サービングセルから制御リソースパーティションスケジュールを受信する。それは、サービングセルから、ブロック９０１において、データリソースパーティションスケジュールを受信する。ＵＥは、２つの受信されたスケジュールを使用して、制御リソースパーティションスケジュールに従う制御信号と制御リソースパーティションスケジュールに従うデータ信号とを含む信号を、ブロック９０２において、送信する。上で述べたように、制御パーティションとデータパーティションとに対するスケジューリング情報を、ＳＩＢ送信内に配置することができる。あるいは、スケジュールを代替的ＳＩＢ、ＭＩＢ内に入れるか、または別の制御送信内に入れることができる。
【００７４】
一構成において、ワイヤレス通信用に構成されているＵＥ  １２０は、サービングセルから制御リソースパーティションスケジュールを受信するための手段と、前記サービングセルからデータリソースパーティションスケジュールを受信するための手段と、前記制御リソースパーティションスケジュールに従う制御信号と前記制御リソースパーティションスケジュールに従うデータ信号とを含む信号を送信するための手段とを備える。一態様では、前述の手段は、前述の手段によって列挙されている機能を実行するように構成された、１つ又は複数のプロセッサ、コントローラ／プロセッサ５８０、メモリ５８２、受信プロセッサ５５８、ＭＩＭＯ検出器５５６、復調器５５４ａ、およびアンテナ５５２ａとすることができる。
【００７５】
図１０は、本開示の一態様を実装するために実行される例示的なブロックを示す機能ブロック図である。ブロック１０００において、ＵＥアンテナで受信された信号は制御リソースパーティションスケジュールおよびデータリソースパーティションスケジュールへと復号化される。例えば、図５のＵＥ  １２０を参照すると、信号はアンテナ５５２ａ〜５５２ｒで受信されることがわかる。次いで、これらの信号は、復調器５５４ａ〜５５４ｒによって復調される。ＭＩＭＯ検出器５５６は、空間的に処理され、復調されたいくつかの信号を信号の符号化された情報へとアセンブルする。ＵＥ  １２０がリソースパーティションの対象であるカバレッジエリア内に残っている間に、受信プロセッサ５５８は、この情報を復号化し、さらなる制御処理のためリソースパーティションスケジュールをコントローラ／プロセッサ５４０に転送し、次いで、この情報をメモリ５８２内に格納する。このように、ＵＥは、制御信号に対するリソースパーティションスケジュールとデータ信号に対する別のリソースパーティションスケジュールとを受信する。
【００７６】
ブロック１００１において、制御リソースパーティションスケジュールとデータリソースパーティションスケジュールとを使用して、ＵＥは、送信のため、データと制御情報とを対応するフレーム構造内にアセンブルする。例えば、データソース５６２内のデータが送信可能な状態にあり、コントローラ／プロセッサ５８０がチャネル品質インジケータ（ＣＱＩ）、プリコーディングマトリクスインジケータ（ＰＭＩ）、ランク指標（ＲＩ）、スケジューリング要求（ＳＲ）、および同様のものなどの、送信用の制御信号を有していた場合、データおよび制御情報は、送信フレーム内にデータと制御情報とを配置構成するためにリソーススケジューリングとともに送信プロセッサ５６４に入力される。送信プロセッサ５６４は、送信情報を符号化する。次いで、符号化された情報は、送信ＭＩＭＯプロセッサ５６６によって空間的に処理され、次いで、変調器５５４ａ〜５５４ｒによって変調される。次いで、変調された信号は、アンテナ５５２ａ〜５５２ｒを通じて無線で送信される。このように、ＵＥは、制御信号が制御リソースパーティションスケジュールに従って配置構成され、データ信号がデータリソースパーティションスケジュールに従って配置構成された送信用の信号を生成する。
【００７７】
別の構成において、ワイヤレス通信用に構成されているｅＮＢ  １１０は、少なくとも１つのアップリンク（ＵＬ）制御信号に対する第１のリソースパーティションスケジュールを生成するための手段と、少なくとも１つのＵＬデータ信号に対する第２のリソースパーティションスケジュールを生成するための手段であって、前記第１および第２のリソースパーティションは同じ送信フレーム構造に適用可能である、手段と、前記第１のリソースパーティションスケジュールと前記第２のリソースパーティションスケジュールとをＵＥに送信するための手段と、ＵＥから、第１のリソースパーティションおよび第２のリソースパーティションに従う送信フレームを受信するための手段とを備える。一態様では、前述の手段は、前述の手段によって列挙されている機能を実行するように構成された、１つまたは複数のプロセッサ、コントローラ／プロセッサ５４０、スケジューラ５４４、メモリ５４２、送信プロセッサ５２０、送信ＭＩＭＯプロセッサ５３０、変調器５３２ａ、およびアンテナ５３４ａとすることができる。別の態様では、前述の手段は、前述の手段によって列挙されている機能を実行するように構成されたモジュールまたは任意の装置とすることができる。
【００７８】
図１１は、本開示の一態様を実装するために実行される例示的なブロックを示す機能ブロック図である。ブロック１１００において、制御測定基準(metrics)に割り当てられた周期がデータ送信に関係する周期に関して分析される。例えば、図５のｅＮＢ  １１０を参照すると、コントローラ／プロセッサ５４０がメモリ５４２内に格納されている割り当てられた周期にアクセスすることがわかる。
【００７９】
基地局は、周期の分析に基づき制御送信とデータ送信とに関して、ブロック１１０１において、リソースパーティションスケジュールを生成する。例えば、ｅＮＢ  １１０のスケジューラ５４４は、コントローラ／プロセッサ５４０によって実行される周期の調査を使用し、アップリンク性能を低下させないデータ送信と制御送信とに対するリソースパーティションスケジュールを生成する。これにより、セル内の周期の分析に基づき、基地局は、同じセルカバレッジエリアに対する複数のリソースパーティションスケジュールを生成する。
【００８０】
リソースパーティションスケジュールは、ブロック１１０２において、ＵＥに送信される。コントローラ／プロセッサ５４０は、リソースパーティションスケジュールを送信プロセッサ５２０に伝達する。送信プロセッサ５２０は、その情報を符号化し、その後、送信ＭＩＭＯプロセッサ５３０が変調器５３２ａ〜５３２ｔにおける変調前に空間的処理を実行する。次いで、変調された信号は、アンテナ５３４ａ〜５３４ｔを介して無線で送信される。
【００８１】
ブロック１１０３において、基地局のアンテナで受信された信号は、複数のリソースパーティションスケジュールに従って構成されたアップリンク送信フレーム構造へと復号化される。例えば、アンテナ５３４ａ〜５３４ｔは、ＵＥから送信された信号を受信する。これらの信号は、復調器５３２ａ〜５３２ｔによって復調される。ＭＩＭＯ検出器５３６は、空間的に処理されたいくつかの信号を信号の符号化された情報へとアセンブルする。受信プロセッサ５３８は、情報を復号化して、そのデータをデータシンク５３９に、さらなる制御処理のため制御情報をコントローラ／プロセッサ５４０に転送する。このように、データは、リソースパーティションスケジュールのうちの１つに従うｅＮＢ１１０によって受信されるフレーム内で送信され、制御情報は、他のリソースパーティションスケジュールに従うフレーム内で送信される。したがって、基地局は、ＵＥから送信フレームを受信し、その送信フレームはリソースパーティションスケジュールに従って構成される。
【００８２】
当業者であれば、情報および信号は、さまざまな異なる技術および技法のうちの任意のものを使用して表すことができることを理解するであろう。例えば、上の説明全体を通して参照されていると思われるデータ、命令、コマンド、情報、信号、ビット、シンボル、およびチップは、電圧、電流、電磁波、磁場または磁気粒子、光場または光粒子、これらの任意の組み合わせにより表すことができる。
【００８３】
図８および９内の機能ブロックおよびモジュールは、プロセッサ、電子デバイス、ハードウェアデバイス、電子コンポーネント、論理回路、メモリ、ソフトウェアコード、ファームウェアコードなど、またはこれらの任意の組み合わせを備えることができる。
【００８４】
さらに、当業者であれば、本明細書の開示に関して説明されているさまざまな例示的な論理ブロック、モジュール、回路、およびアルゴリズムステップは、電子ハードウェア、コンピュータソフトウェア、またはその両方の組み合わせとして実装することができることを理解するであろう。ハードウェアとソフトウェアとをこのように入れ替えて使用できることを明確に例示するために、上では、さまざまな例示的なコンポーネント、ブロック、モジュール、回路、およびステップが、一般的にその機能に関して説明されている。このような機能がハードウェアまたはソフトウェアとして実装されるかどうかは、特定の応用例とシステム全体に課される設計制約とよって決まる。当業者であれば、それぞれの特定の用途についてさまざまな方法により説明されている機能を実装することができるが、そのような実装決定は、本開示の範囲からの逸脱を引き起こすものとして解釈すべきではない。
【００８５】
本明細書の開示に関して説明されているさまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、ディスクリートゲートまたはトランジスタロジック、ディスクリートハードウェアコンポーネント、または本明細書で説明されている機能を実行するように設計されているこれらの任意の組み合わせにより実装または実行することができる。汎用プロセッサは、マイクロプロセッサであってよいが、代替として、プロセッサは、任意の従来のプロセッサ、コントローラ、マイクロコントローラ、または状態機械であってよい。プロセッサは、コンピューティングデバイスの組み合わせ、例えば、ＤＳＰとマイクロプロセッサの組み合わせ、複数のマイクロプロセッサ、ＤＳＰコアと連携する１つまたは複数のマイクロプロセッサ、または他の任意のそのような構成としても実装されうる。
【００８６】
本明細書の開示に関して説明されている方法またはアルゴリズムのステップは、ハードウェアで直接、プロセッサにより実行されるソフトウェアモジュールにより、またはこれら２つの組み合わせにより具現化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術分野で知られている他の任意の形態の記憶媒体に存在することができる。例示的な記憶媒体は、プロセッサがその記憶媒体から情報を読み込み、その記憶媒体に情報を書き込めるようにプロセッサに結合される。代替的形態では、記憶媒体は、プロセッサに一体化することができる。プロセッサおよび記憶媒体は、ＡＳＩＣに収めることもできる。ＡＳＩＣは、ユーザ端末に収めることができる。代替形態では、プロセッサおよび記憶媒体は、ユーザ端末内のディスクリートコンポーネントとして常駐することができる。
【００８７】
１つまたは複数の例示的な設計において、説明されている機能は、ハードウェア、ソフトウェア、ファームウェア、またはこれらの任意の組み合わせで実装することができる。ソフトウェアで実装された場合、これらの機能は、コンピュータ可読媒体上で１つまたは複数の命令もしくはコードとして格納または送信されうる。コンピュータ可読媒体は、１つの場所から別の場所へのコンピュータプログラムの転送を容易にする媒体を含むコンピュータ記憶媒体と通信媒体の両方を含む。記憶媒体は、汎用もしくは専用コンピュータによってアクセスされうる利用可能な任意の媒体とすることができる。例えば、限定はしないが、そのようなコンピュータ可読媒体としては、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令もしくはデータ構造体の形態で所望のプログラムコード手段を搬送または格納するために使用することができ、また汎用もしくは専用コンピュータまたは汎用もしくは専用プロセッサによってアクセスできる他の任意の媒体が挙げられる。また、任意の接続を、コンピュータ可読媒体と呼んで差し支えない。例えば、ソフトウェアが同軸ケーブル、光ファイバケーブル、ツイストペア線、デジタル加入者回線（ＤＳＬ）、または赤外線、ラジオ、およびマイクロ波などのワイヤレス技術を使用してウェブサイト、サーバ、または他のリモートソースから送信される場合、同軸ケーブル、光ファイバケーブル、ツイストペア線、ＤＳＬ、または赤外線、ラジオ、およびマイクロ波などのワイヤレス技術は、媒体の定義に含まれる。本明細書で使用される際、「ｄｉｓｋ」と「ｄｉｓｃ」（両方とも日本語ではディスク）は、コンパクトディスク（ｃｏｍｐａｃｔ  ｄｉｓｃ；ＣＤ）、レーザーディスク（登録商標）（ｌａｓｅｒ  ｄｉｓｃ）、光ディスク（ｏｐｔｉｃａｌ  ｄｉｓｃ）、デジタル多用途ディスク（ｄｉｇｉｔａｌ  ｖｅｒｓａｔｉｌｅ  ｄｉｓｃ；ＤＶＤ）、フロッピー（登録商標）ディスク（ｆｌｏｐｐｙ（登録商標）  ｄｉｓｋ）、およびブルーレイディスク（ｂｌｕ−ｒａｙ  ｄｉｓｃ）を含み、「ｄｉｓｋ」は通常磁気的にデータを再現し、「ｄｉｓｃ」はレーザーを使って光学的にデータを再現する。上記の組み合わせも、コンピュータ可読媒体の範囲に収まらなければならない。
【００８８】
本開示の前記の説明は、いかなる当業者も本開示を製作または使用することができるようにするために提示されている。本開示に対しさまざまな修正を加えられることは、当業者であればたやすく理解できるであろうし、また本明細書で定義されている一般原理は、本開示の精神または範囲から逸脱することなく他の変更形態にも適用することができる。そのため、本開示は、本明細書で説明されている実施例および設計に限定されることを意図されておらず、本明細書で開示されている原理および新規性のある特徴と一致する最も広い範囲を適用されることを意図されている。
以下に、本願出願時の特許請求の範囲に記載された発明を付記する。
［１］ワイヤレス通信の方法であって、
少なくとも１つのアップリンク（ＵＬ）制御信号に対する第１のリソースパーティションスケジュールを生成することと、
少なくとも１つのＵＬデータ信号に対する第２のリソースパーティションスケジュールを生成することであって、前記第１および第２のリソースパーティションスケジュールは同じ送信フレーム構造に適用可能であることと、
前記第１のリソースパーティションスケジュールと前記第２のリソースパーティションスケジュールとをユーザ機器（ＵＥ）に送信することと、
前記ＵＥから、前記第１のリソースパーティションスケジュールおよび前記第２のリソースパーティションスケジュールに従う送信フレームを受信することとを備える方法。
［２］前記第１のリソースパーティションスケジュールは、第１の周期に基づき、前記第２のリソースパーティションスケジュールは、前記第１の周期と異なる第２の周期に基づく上記［１］に記載の方法。
［３］前記第１の周期および前記第２の周期は、互いの倍数である上記［２］に記載の方法。
［４］前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用する上記［１］に記載の方法。
［５］前記第１および第２のリソースパーティションは、同じ周期を有する上記［４］に記載の方法。
［６］システム情報ブロック（ＳＩＢ）メッセージで前記第１および第２のリソースパーティションのスケジュールをブロードキャストすることをさらに備える上記［１］に記載の方法。
［７］前記第１および第２のリソースパーティションが適用可能である送信フレーム構造を３つの領域に分割することをさらに備え、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える上記［１］に記載の方法。
［８］前記動的制御領域は、動的制御信号が送信されない場合にデータ送信に使用されうる上記［７］に記載の方法。
［９］ワイヤレス通信のための方法であって、
サービングセルから制御リソースパーティションスケジュールを受信することと、
前記サービングセルからデータリソースパーティションスケジュールを受信することと、
前記制御リソースパーティションスケジュールに従う制御信号と前記制御リソースパーティションスケジュールに従うデータ信号とを含む信号を送信することとを備える方法。
［１０］前記制御リソースパーティションスケジュールは、第１の周期に基づき、前記データリソースパーティションスケジュールは、前記第１の周期と異なる第２の周期に基づく上記［９］に記載の方法。
［１１］前記第１の周期および前記第２の周期は、互いの倍数である上記［１０］に記載の方法。
［１２］前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用する上記［９］に記載の方法。
［１３］前記制御リソースパーティションスケジュールおよび前記データリソースパーティションスケジュールは、同じ周期を有する上記［１２］に記載の方法。
［１４］前記制御リソースパーティションスケジュールおよび前記データリソースパーティションスケジュールは、同じシステム情報ブロック（ＳＩＢ）メッセージで受信される上記［９］に記載の方法。
［１５］前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える上記［９］に記載の方法。
［１６］前記制御信号は、半持続的制御信号と動的制御信号のうちの１つまたは複数を備える上記［１５］に記載の方法。
［１７］前記制御信号を前記送信することは、
前記半持続的制御領域において前記半持続的制御信号を送信することと、
前記動的制御信号が存在する場合に前記動的制御領域において前記動的制御信号を送信することとを備え、
前記データ信号を前記送信することは、
前記データ領域において前記データ信号を送信することを備える上記［１６］に記載の方法。
［１８］前記動的制御信号が存在しない場合に、前記データ信号を前記送信することは、
前記動的制御領域において前記データ信号を送信することをさらに備える上記［１７］に記載の方法。
［１９］ワイヤレス通信のために構成されている基地局であって、
少なくとも１つのアップリンク（ＵＬ）制御信号に対する第１のリソースパーティションスケジュールを生成するための手段と、
少なくとも１つのＵＬデータ信号に対する第２のリソースパーティションスケジュールを生成するための手段であって、前記第１および第２のリソースパーティションスケジュールは同じ送信フレーム構造に適用可能である、手段と、
前記第１のリソースパーティションスケジュールと前記第２のリソースパーティションスケジュールとをユーザ機器（ＵＥ）に送信するための手段と、
前記ＵＥから、前記第１のリソースパーティションスケジュールおよび前記第２のリソースパーティションスケジュールに従う送信フレームを受信するための手段とを備える基地局。
［２０］前記第１のリソースパーティションスケジュールは、第１の周期に基づき、前記第２のリソースパーティションスケジュールは、前記第１の周期と異なる第２の周期に基づく上記［１９］に記載の基地局。
［２１］前記第１の周期および前記第２の周期は、互いの倍数である上記［２０］に記載の基地局。
［２２］前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用する上記［１９］に記載の基地局。
［２３］前記第１および第２のリソースパーティションは、同じ周期を有する上記［２２］に記載の基地局。
［２４］システム情報ブロック（ＳＩＢ）メッセージで前記第１および第２のリソースパーティションのスケジュールをブロードキャストするための手段をさらに備える上記［１９］に記載の基地局。
［２５］前記第１および第２のリソースパーティションが適用可能である送信フレーム構造を３つの領域に分割するための手段をさらに備え、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える上記［１９］に記載の基地局。
［２６］前記動的制御領域は、動的制御信号が送信されない場合にデータ送信に使用されうる上記［２５］に記載の基地局。
［２７］ワイヤレス通信のために構成されているユーザ機器（ＵＥ）であって、
サービングセルから制御リソースパーティションスケジュールを受信するための手段と、
前記サービングセルからデータリソースパーティションスケジュールを受信するための手段と、
前記制御リソースパーティションスケジュールに従う制御信号と前記制御リソースパーティションスケジュールに従うデータ信号とを含む信号を送信するための手段とを備えるユーザ機器（ＵＥ）。
［２８］前記制御リソースパーティションスケジュールは、第１の周期に基づき、前記データリソースパーティションスケジュールは、前記第１の周期と異なる第２の周期に基づく上記［２７］に記載のＵＥ。
［２９］前記第１の周期および前記第２の周期は、互いの倍数である上記［２８］に記載のＵＥ。
［３０］前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用する上記［２７］に記載のＵＥ。
［３１］前記制御リソースパーティションスケジュールおよび前記データリソースパーティションスケジュールは、同じ周期を有する上記［３０］に記載のＵＥ。
［３２］前記制御リソースパーティションスケジュールおよび前記データリソースパーティションスケジュールは、同じシステム情報ブロック（ＳＩＢ）メッセージで受信される上記［２７］に記載のＵＥ。
［３３］前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える上記［２７］に記載のＵＥ。
［３４］前記制御信号は、半持続的制御信号と動的制御信号のうちの１つまたは複数を備える上記［３３］に記載のＵＥ。
［３５］前記制御信号を送信するための前記手段は、
前記半持続的制御領域において前記半持続的制御信号を送信するための手段と、
前記動的制御信号が存在する場合に前記動的制御領域において前記動的制御信号を送信するための手段とを備え、
前記データ信号を送信するための前記手段は、
前記データ領域において前記データ信号を送信するための手段を備える上記［３４］に記載のＵＥ。
［３６］前記動的制御信号が存在しない場合に、前記データ信号を送信するための前記手段は、
前記動的制御領域において前記データ信号を送信するための手段をさらに備える上記［３５］に記載のＵＥ。
［３７］プログラムコードが記録されているコンピュータ可読媒体を備える、ワイヤレスネットワークにおけるワイヤレス通信のためのコンピュータプログラム製品であって、前記プログラムコードは
少なくとも１つのアップリンク（ＵＬ）制御信号に対する第１のリソースパーティションスケジュールを生成するためのプログラムコードと、
少なくとも１つのＵＬデータ信号に対する第２のリソースパーティションスケジュールを生成するためのプログラムコードであって、前記第１および第２のリソースパーティションスケジュールは同じ送信フレーム構造に適用可能である、プログラムコードと、
前記第１のリソースパーティションスケジュールと前記第２のリソースパーティションスケジュールとをユーザ機器（ＵＥ）に送信するためのプログラムコードと、
前記ＵＥから、前記第１のリソースパーティションスケジュールおよび前記第２のリソースパーティションスケジュールに従う送信フレームを受信するためのプログラムコードとを備えるコンピュータプログラム製品。
［３８］前記第１のリソースパーティションスケジュールは、第１の周期に基づき、前記第２のリソースパーティションスケジュールは、前記第１の周期と異なる第２の周期に基づく上記［３７］に記載のコンピュータプログラム製品。
［３９］前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用する上記［３７］に記載のコンピュータプログラム製品。
［４０］システム情報ブロック（ＳＩＢ）メッセージで前記第１および第２のリソースパーティションのスケジュールをブロードキャストするためのプログラムコードをさらに備える上記［３７］に記載のコンピュータプログラム製品。
［４１］前記第１および第２のリソースパーティションが適用可能である送信フレーム構造を３つの領域に分割するためのプログラムコードをさらに備え、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える上記［３７］に記載のコンピュータプログラム製品。
［４２］プログラムコードが記録されているコンピュータ可読媒体を備える、ワイヤレスネットワークにおけるワイヤレス通信のためのコンピュータプログラム製品であって、前記プログラムコードは
サービングセルから制御リソースパーティションスケジュールを受信するためのプログラムコードと、
前記サービングセルからデータリソースパーティションスケジュールを受信するためのプログラムコードと、
前記制御リソースパーティションスケジュールに従う制御信号と前記制御リソースパーティションスケジュールに従うデータ信号とを含む信号を送信するためのプログラムコードとを備えるコンピュータプログラム製品。
［４３］前記制御リソースパーティションスケジュールは、第１の周期に基づき、前記データリソースパーティションスケジュールは、前記第１の周期と異なる第２の周期に基づく上記［４２］に記載のコンピュータプログラム製品。
［４４］前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用する上記［４２］に記載のコンピュータプログラム製品。
［４５］前記制御リソースパーティションスケジュールおよび前記データリソースパーティションスケジュールは、同じシステム情報ブロック（ＳＩＢ）メッセージで受信される上記［４２］に記載のコンピュータプログラム製品。
［４６］前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える上記［４２］に記載のコンピュータプログラム製品。
［４７］前記制御信号は、半持続的制御信号と動的制御信号のうちの１つまたは複数を備える上記［４６］に記載のコンピュータプログラム製品。
［４８］前記制御信号を送信するための前記プログラムコードは、
前記半持続的制御領域において前記半持続的制御信号を送信するためのプログラムコードと、
前記動的制御信号が存在する場合に前記動的制御領域において前記動的制御信号を送信するためのプログラムコードとを備え、
前記データ信号を送信するための前記プログラムコードは、
前記データ領域において前記データ信号を送信するためのプログラムコードを備える上記［４７］に記載のコンピュータプログラム製品。
［４９］ワイヤレス通信のために構成されている基地局であって、
少なくとも１つのプロセッサと、
前記少なくとも１つのプロセッサに結合されたメモリとを備え、
前記少なくとも１つのプロセッサは、
少なくとも１つのアップリンク（ＵＬ）制御信号に対する第１のリソースパーティションスケジュールを生成し、
少なくとも１つのＵＬデータ信号に対する第２のリソースパーティションスケジュールを生成し、前記第１および第２のリソースパーティションスケジュールは同じ送信フレーム構造に適用可能であり、
前記第１のリソースパーティションスケジュールと前記第２のリソースパーティションスケジュールとをユーザ機器（ＵＥ）に送信し、
前記ＵＥから、前記第１のリソースパーティションスケジュールおよび前記第２のリソースパーティションスケジュールに従う送信フレームを受信するように構成される基地局。
［５０］前記第１のリソースパーティションスケジュールは、第１の周期に基づき、前記第２のリソースパーティションスケジュールは、前記第１の周期と異なる第２の周期に基づく上記［４９］に記載の基地局。
［５１］前記第１のリソースパーティションスケジュールは、第１のサブフレームクラス割り当て構成を使用し、前記第２のリソースパーティションスケジュールは、前記第１のサブフレームクラス割り当て構成と異なる第２のサブフレームクラス割り当て構成を使用する上記［４９］に記載の基地局。
［５２］前記少なくとも１つのプロセッサは、
システム情報ブロック（ＳＩＢ）メッセージで前記第１および第２のリソースパーティションのスケジュールをブロードキャストするようにさらに構成される上記［４９］に記載の基地局。
［５３］前記少なくとも１つのプロセッサは、
前記第１および第２のリソースパーティションが適用可能である送信フレーム構造を３つの領域に分割するようにさらに構成され、前記領域は
前記送信フレーム構造のそれぞれの第１の周波数エッジおよび第２の周波数エッジに確保されている半持続的制御領域と、
前記送信フレーム構造のそれぞれの中間セクション内に確保されているＲＢの第２の集合を有するデータ領域と、
前記データ領域と前記第１の周波数エッジおよび前記第２の周波数エッジのそれぞれにおける前記半持続的制御領域との間に確保されたＲＢの第３の集合を有する動的制御領域とを備える上記［４９］に記載の基地局。
［５４］ワイヤレス通信のために構成されているユーザ機器（ＵＥ）であって、
少なくとも１つのプロセッサと、
前記少なくとも１つのプロセッサに結合されたメモリとを備え、
前記少なくとも１つのプロセッサは、
サービングセルから制御リソースパーティションスケジュールを受信し、
前記サービングセルからデータリソースパーティションスケジュールを受信し、
前記制御リソースパーティションスケジュールに従う制御信号と前記制御リソースパーティションスケジュールに従うデータ信号とを含む信号を送信するように構成されるユーザ機器（ＵＥ）。
［５５］前記制御リソースパーティションスケジュールは、第１の周期に基づき、前記データリソースパーティションスケジュールは、前記第１の周期と異なる第２の周期に基づく上記［５４］に記載のＵＥ。
［５６］前記制御リソースパーティションスケジュールは、第１のサブフレームクラス割り当て構成を使用し、前記データリソースパーティションスケジュールは、前記第１のサブフレームクラス割り当て構成と異なる第２のサブフレームクラス割り当て構成を使用する上記［５４］に記載のＵＥ。
［５７］前記制御リソースパーティションスケジュールおよび前記データリソースパーティションスケジュールは、同じシステム情報ブロック（ＳＩＢ）メッセージで受信される上記［５４］に記載のＵＥ。
［５８］前記制御リソースパーティションスケジュールおよび前記データリソースパーティションスケジュールが適用可能である送信フレーム構造は、３つの領域に分割され、前記領域は
前記送信フレーム構造のそれぞれの開始エッジおよび終了エッジ上に確保されているリソースブロック（ＲＢ）の第１の集合を有する半持続的制御領域と、
前記送信フレーム構造のそれぞれの中間セクション内に確保されているＲＢの第２の集合を有するデータ領域と、
前記データ領域と前記開始エッジおよび前記終了エッジのそれぞれにおける前記半持続的制御領域との間に確保されたＲＢの第３の集合を有する動的制御領域とを備える上記［５４］に記載のＵＥ。
［５９］前記制御信号は、半持続的制御信号と動的制御信号のうちの１つまたは複数を備える上記［５４］に記載のＵＥ。
［６０］前記制御信号を送信するように構成されている前記少なくとも１つのプロセッサは、
前記半持続的制御領域において前記半持続的制御信号を送信し、
前記動的制御信号が存在する場合に前記動的制御領域において前記動的制御信号を送信するように構成され、
前記データ信号を送信するように構成されている前記少なくとも１つのプロセッサは、
前記データ領域において前記データ信号を送信するように構成される上記［５４］に記載のＵＥ。
【図１】
0005646727.tif 000002
【図２】
0005646727.tif 000003
【図３】
0005646727.tif 000004
【図４】
0005646727.tif 000005
【図５】
0005646727.tif 000006
【図６】
0005646727.tif 000007
【図７Ａ】
0005646727.tif 000008
【図７Ｂ】
0005646727.tif 000009
【図７Ｃ】
0005646727.tif 000010
【図８】
0005646727.tif 000011
【図９】
0005646727.tif 000012
【図１０】
0005646727.tif 000013
【図１１】
0005646727.tif 000014